(57)【特許請求の範囲】
【請求項１】
ショートメッセージサービス（ＳＭＳ）を提供する移動通信ネットワークを介してサーバ装置が配信する情報を処理する移動通信端末装置において、
前記移動通信ネットワークを介して、自装置向けの情報を含むショートメッセージ（ＳＭ）を受信する受信部と、
前記自装置向けの情報を処理するアプリケーションプログラムを記憶する記憶部と、
前記移動通信ネットワークからＩＰ（Ｉｎｔｅｒｎｅｔ  Ｐｒｏｔｏｃｏｌ）アドレスを取得するアドレス取得部と、
前記アドレス取得部により取得されたＩＰアドレスを用いて、前記サーバ装置とのＴＣＰ（Ｔｒａｎｓｍｉｓｓｉｏｎ  Ｃｏｎｔｒｏｌ  Ｐｒｏｔｏｃｏｌ）／ＩＰ通信を設定するとともに、前記受信部によりショートメッセージが受信された場合に、前記記憶部に記憶されたアプリケーションプログラムを起動し、前記アプリケーションプログラムを実行して前記ショートメッセージに含まれる自装置向けの情報を処理する制御部と、
前記制御部により設定されたＴＣＰ／ＩＰ通信により前記サーバ装置から他の移動通信端末装置（以下、他装置という。）のリストを取得するリスト取得部と、
前記制御部により設定されたＴＣＰ／ＩＰ通信により前記サーバ装置から他装置向けの情報を取得する情報取得部と、
前記受信部により受信されたショートメッセージに前記他装置向けの情報を送信する命令が含まれていた場合に、前記情報取得部により取得された他装置向けの情報を含むショートメッセージを作成する作成部と、
前記移動通信ネットワークを介して、前記リスト取得部により取得されたリストに含まれる他装置に対し、前記作成部により作成されたショートメッセージを送信する送信部とを備えることを特徴とする移動通信端末装置。
【請求項２】
前記サーバ装置により配信される情報は、各移動通信端末装置が属する地域における災害の到来を通知する情報であり、
前記移動通信端末装置は、さらに、
前記制御部による前記自装置向けの情報の処理結果に基づいて、自装置が属する地域における災害の到来までの時間を出力する出力部を備えることを特徴とする請求項１に記載の移動通信端末装置。
【請求項３】
ショートメッセージサービス（ＳＭＳ）を提供する移動通信ネットワークを介してサーバ装置が配信する、一つの演算処理から分割されたタスクを実行する移動通信端末装置において、
前記移動通信ネットワークを介して、自装置向けのタスクを含むショートメッセージ（ＳＭ）を受信する受信部と、
前記自装置向けのタスクを実行するアプリケーションプログラムを記憶する記憶部と、
前記受信部によりショートメッセージが受信された場合に、前記記憶部に記憶されたアプリケーションプログラムを起動し、前記アプリケーションプログラムを実行して前記ショートメッセージに含まれる自装置向けのタスクを実行する制御部と、
前記サーバ装置に対し、前記制御部による前記自装置向けのタスクの実行結果を報告する報告部と、
前記受信部により受信されたショートメッセージに他の移動通信端末装置（以下、他装置という。）向けのタスクを送信する命令が含まれていた場合に、前記他装置向けのタスクを含むショートメッセージを作成する作成部と、
前記移動通信ネットワークを介して、他装置に対し、前記作成部により作成されたショートメッセージを送信する送信部とを備えることを特徴とする移動通信端末装置。
【請求項４】
ショートメッセージサービス（ＳＭＳ）を提供する移動通信ネットワークを介してサーバ装置が配信する情報を処理する移動通信端末装置により実行される移動通信端末プログラムにおいて、
前記移動通信ネットワークを介して、前記移動通信端末装置向けの情報を含むショートメッセージ（ＳＭ）を受信する受信処理と、
前記移動通信端末装置向けの情報を処理するアプリケーションプログラムを前記移動通信端末装置の記憶部に記憶する記憶処理と、
前記移動通信ネットワークからＩＰ（Ｉｎｔｅｒｎｅｔ  Ｐｒｏｔｏｃｏｌ）アドレスを取得するアドレス取得処理と、
前記アドレス取得処理により取得されたＩＰアドレスを用いて、前記サーバ装置とのＴＣＰ（Ｔｒａｎｓｍｉｓｓｉｏｎ  Ｃｏｎｔｒｏｌ  Ｐｒｏｔｏｃｏｌ）／ＩＰ通信を設定するとともに、前記受信処理によりショートメッセージが受信された場合に、前記記憶部に記憶されたアプリケーションプログラムを起動し、前記移動通信端末装置の制御部により前記アプリケーションプログラムを実行して前記ショートメッセージに含まれる移動通信端末装置向けの情報を処理する制御処理と、
前記制御処理により設定されたＴＣＰ／ＩＰ通信により前記サーバ装置から他の移動通信端末装置のリストを取得するリスト取得処理と、
前記制御処理により設定されたＴＣＰ／ＩＰ通信により前記サーバ装置から他の移動通信端末装置向けの情報を取得する情報取得処理と、
前記受信処理により受信されたショートメッセージに前記他の移動通信端末装置向けの情報を送信する命令が含まれていた場合に、前記情報取得処理により取得された他の移動通信端末装置向けの情報を含むショートメッセージを作成する作成処理と、
前記移動通信ネットワークを介して、前記リスト取得処理により取得されたリストに含まれる他の移動通信端末装置に対し、前記作成処理により作成されたショートメッセージを送信する送信処理とをコンピュータに実行させることを特徴とする移動通信端末プログラム。
【請求項５】
ショートメッセージサービス（ＳＭＳ）を提供する移動通信ネットワークを介してサーバ装置が配信する、一つの演算処理から分割されたタスクを実行する移動通信端末装置により実行される移動通信端末プログラムにおいて、
前記移動通信ネットワークを介して、前記移動通信端末装置向けのタスクを含むショートメッセージ（ＳＭ）を受信する受信処理と、
前記移動通信端末装置向けのタスクを実行するアプリケーションプログラムを前記移動通信端末装置の記憶部に記憶する記憶処理と、
前記受信処理によりショートメッセージが受信された場合に、前記記憶部に記憶されたアプリケーションプログラムを起動し、前記移動通信端末装置の制御部により前記アプリケーションプログラムを実行して前記ショートメッセージに含まれる移動通信端末装置向けのタスクを実行する制御処理と、
前記サーバ装置に対し、前記制御部による前記自装置向けのタスクの実行結果を報告する報告処理と、
前記受信処理により受信されたショートメッセージに他の移動通信端末装置向けのタスクを送信する命令が含まれていた場合に、前記他の移動通信端末装置向けのタスクを含むショートメッセージを作成する作成処理と、
前記移動通信ネットワークを介して、前記他の移動通信端末装置に対し、前記作成処理により作成されたショートメッセージを送信する送信処理とをコンピュータに実行させることを特徴とする移動通信端末プログラム。
【請求項６】
ショートメッセージサービス（ＳＭＳ）を提供する移動通信ネットワークを介して複数の移動通信端末装置に情報を配信するサーバ装置において、
各移動通信端末装置の位置を検出する位置検出部と、
前記複数の移動通信端末装置のリストを記憶するとともに、各移動通信端末装置向けの情報として、前記位置検出部により検出された位置を含む地域における災害の到来を通知する情報を記憶する記憶部と、
前記記憶部に記憶されたリストから、移動通信端末装置向けの情報が配信されていない第１の移動通信端末装置を選択する選択部と、
前記選択部により選択された第１の移動通信端末装置向けの情報と他の移動通信端末装置に対し他の移動通信端末装置向けの情報を送信する命令とを含むメッセージを作成するメッセージ作成部と、
メッセージをショートメッセージ（ＳＭ）に変換して移動通信端末装置に配信する前記移動通信ネットワークのゲートウェイ装置に対し、前記メッセージ作成部により作成されたメッセージを送信する送信部と、
前記記憶部に記憶されたリストから、移動通信端末装置向けの情報が配信されていない第２の移動通信端末装置のリストを作成し、前記第１の移動通信端末装置に対し、作成したリストを提供するリスト作成部と、
前記第１の移動通信端末装置に対し、前記記憶部に記憶された第２の移動通信端末装置向けの情報を提供する情報提供部とを備えることを特徴とするサーバ装置。
【請求項７】
ショートメッセージサービス（ＳＭＳ）を提供する移動通信ネットワークを介して複数の移動通信端末装置に情報を配信するサーバ装置において、
前記複数の移動通信端末装置のリストを記憶するとともに、各移動通信端末装置向けの情報として、各移動通信端末装置が属する地域における災害の到来までの時間と災害の大きさとを含む情報をソートして記憶する記憶部と、
前記記憶部に記憶されたリストから、移動通信端末装置向けの情報が配信されていない第１の移動通信端末装置として、前記災害の到来までの時間が短いものと前記災害の大きさが大きいものとのいずれかを優先して選択する選択部と、
前記選択部により選択された第１の移動通信端末装置向けの情報と他の移動通信端末装置に対し他の移動通信端末装置向けの情報を送信する命令とを含むメッセージを作成するメッセージ作成部と、
メッセージをショートメッセージ（ＳＭ）に変換して移動通信端末装置に配信する前記移動通信ネットワークのゲートウェイ装置に対し、前記メッセージ作成部により作成されたメッセージを送信する送信部と、
前記記憶部に記憶されたリストから、移動通信端末装置向けの情報が配信されていない第２の移動通信端末装置のリストを作成し、前記第１の移動通信端末装置に対し、作成したリストを提供するリスト作成部と、
前記第１の移動通信端末装置に対し、前記記憶部に記憶された第２の移動通信端末装置向けの情報を提供する情報提供部とを備えることを特徴とするサーバ装置。
【請求項８】
ショートメッセージサービス（ＳＭＳ）を提供する移動通信ネットワークを介して複数の移動通信端末装置に情報を配信するサーバ装置において、
前記複数の移動通信端末装置のリストを記憶するとともに、各移動通信端末装置向けの情報として、各移動通信端末装置が属する地域における災害の到来までの時間と災害の大きさとを含む情報をソートして記憶する記憶部と、
前記記憶部に記憶されたリストから、移動通信端末装置向けの情報が配信されていない第１の移動通信端末装置を選択する選択部と、
前記選択部により選択された第１の移動通信端末装置向けの情報と他の移動通信端末装置に対し他の移動通信端末装置向けの情報を送信する命令とを含むメッセージを作成するメッセージ作成部と、
メッセージをショートメッセージ（ＳＭ）に変換して移動通信端末装置に配信する前記移動通信ネットワークのゲートウェイ装置に対し、前記メッセージ作成部により作成されたメッセージを送信する送信部と、
前記記憶部に記憶されたリストから、移動通信端末装置向けの情報が配信されていない第２の移動通信端末装置として、前記災害の到来までの時間が短いものと前記災害の大きさが大きいものとのいずれかを優先して含めたリストを作成し、前記第１の移動通信端末装置に対し、作成したリストを提供するリスト作成部と、
前記第１の移動通信端末装置に対し、前記記憶部に記憶された第２の移動通信端末装置向けの情報を提供する情報提供部とを備えることを特徴とするサーバ装置。
【請求項９】
ショートメッセージサービス（ＳＭＳ）を提供する移動通信ネットワークを介して複数の移動通信端末装置に情報を配信するサーバ装置において、
前記複数の移動通信端末装置のリストを記憶するとともに、各移動通信端末装置向けの情報として、一つの演算処理を分割したタスクを記憶する記憶部と、
前記記憶部に記憶されたリストから、移動通信端末装置向けの情報が配信されていない第１の移動通信端末装置を選択する選択部と、
前記選択部により選択された第１の移動通信端末装置向けの情報と他の移動通信端末装置に対し他の移動通信端末装置向けの情報を送信する命令とを含むメッセージを作成するメッセージ作成部と、
メッセージをショートメッセージ（ＳＭ）に変換して移動通信端末装置に配信する前記移動通信ネットワークのゲートウェイ装置に対し、前記メッセージ作成部により作成されたメッセージを送信する送信部と、
前記記憶部に記憶されたリストから、移動通信端末装置向けの情報が配信されていない第２の移動通信端末装置のリストを作成し、前記第１の移動通信端末装置に対し、作成したリストを提供するリスト作成部と、
前記第１の移動通信端末装置に対し、前記記憶部に記憶された第２の移動通信端末装置向けの情報を提供する情報提供部と、
各移動通信端末装置から各タスクの実行結果を収集し、収集した実行結果を集約して前記演算処理の処理結果を出力する集約部とを備えることを特徴とするサーバ装置。
【請求項１０】
ショートメッセージサービス（ＳＭＳ）を提供する移動通信ネットワークを介して複数の移動通信端末装置に情報を配信するサーバ装置により実行されるサーバプログラムにおいて、
各移動通信端末装置の位置を検出する位置検出処理と、
前記複数の移動通信端末装置のリストを前記サーバ装置の記憶部に記憶するとともに、各移動通信端末装置向けの情報として、前記位置検出処理により検出された位置を含む地域における災害の到来を通知する情報を前記記憶部に記憶する記憶処理と、
前記記憶部に記憶されたリストから、移動通信端末装置向けの情報が配信されていない第１の移動通信端末装置を選択する選択処理と、
前記選択処理により選択された第１の移動通信端末装置向けの情報と他の移動通信端末装置に対し他の移動通信端末装置向けの情報を送信する命令とを含むメッセージを作成するメッセージ作成処理と、
メッセージをショートメッセージ（ＳＭ）に変換して前記第１の移動通信端末装置に配信する前記移動通信ネットワークのゲートウェイ装置に対し、前記メッセージ作成処理により作成されたメッセージを送信する送信処理と、
前記記憶部に記憶されたリストから、移動通信端末装置向けの情報が配信されていない第２の移動通信端末装置のリストを作成し、前記第１の移動通信端末装置に対し、作成したリストを提供するリスト作成処理と、
前記第１の移動通信端末装置に対し、前記記憶部に記憶された第２の移動通信端末装置向けの情報を提供する情報提供処理とをコンピュータに実行させることを特徴とするサーバプログラム。
【請求項１１】
ショートメッセージサービス（ＳＭＳ）を提供する移動通信ネットワークを介して複数の移動通信端末装置に情報を配信するサーバ装置により実行されるサーバプログラムにおいて、
前記複数の移動通信端末装置のリストを前記サーバ装置の記憶部に記憶するとともに、各移動通信端末装置向けの情報として、各移動通信端末装置が属する地域における災害の到来までの時間と災害の大きさとを含む情報をソートして前記記憶部に記憶する記憶処理と、
前記記憶部に記憶されたリストから、移動通信端末装置向けの情報が配信されていない第１の移動通信端末装置として、前記災害の到来までの時間が短いものと前記災害の大きさが大きいものとのいずれかを優先して選択する選択処理と、
前記選択処理により選択された第１の移動通信端末装置向けの情報と他の移動通信端末装置に対し他の移動通信端末装置向けの情報を送信する命令とを含むメッセージを作成するメッセージ作成処理と、
メッセージをショートメッセージ（ＳＭ）に変換して前記第１の移動通信端末装置に配信する前記移動通信ネットワークのゲートウェイ装置に対し、前記メッセージ作成処理により作成されたメッセージを送信する送信処理と、
前記記憶部に記憶されたリストから、移動通信端末装置向けの情報が配信されていない第２の移動通信端末装置のリストを作成し、前記第１の移動通信端末装置に対し、作成したリストを提供するリスト作成処理と、
前記第１の移動通信端末装置に対し、前記記憶部に記憶された第２の移動通信端末装置向けの情報を提供する情報提供処理とをコンピュータに実行させることを特徴とするサーバプログラム。
【請求項１２】
ショートメッセージサービス（ＳＭＳ）を提供する移動通信ネットワークを介して複数の移動通信端末装置に情報を配信するサーバ装置により実行されるサーバプログラムにおいて、
前記複数の移動通信端末装置のリストを前記サーバ装置の記憶部に記憶するとともに、各移動通信端末装置向けの情報として、各移動通信端末装置が属する地域における災害の到来までの時間と災害の大きさとを含む情報をソートして前記記憶部に記憶する記憶処理と、
前記記憶部に記憶されたリストから、移動通信端末装置向けの情報が配信されていない第１の移動通信端末装置を選択する選択処理と、
前記選択処理により選択された第１の移動通信端末装置向けの情報と他の移動通信端末装置に対し他の移動通信端末装置向けの情報を送信する命令とを含むメッセージを作成するメッセージ作成処理と、
メッセージをショートメッセージ（ＳＭ）に変換して前記第１の移動通信端末装置に配信する前記移動通信ネットワークのゲートウェイ装置に対し、前記メッセージ作成処理により作成されたメッセージを送信する送信処理と、
前記記憶部に記憶されたリストから、移動通信端末装置向けの情報が配信されていない第２の移動通信端末装置として、前記災害の到来までの時間が短いものと前記災害の大きさが大きいものとのいずれかを優先して含めたリストを作成し、前記第１の移動通信端末装置に対し、作成したリストを提供するリスト作成処理と、
前記第１の移動通信端末装置に対し、前記記憶部に記憶された第２の移動通信端末装置向けの情報を提供する情報提供処理とをコンピュータに実行させることを特徴とするサーバプログラム。
【請求項１３】
ショートメッセージサービス（ＳＭＳ）を提供する移動通信ネットワークを介して複数の移動通信端末装置に情報を配信するサーバ装置により実行されるサーバプログラムにおいて、
前記複数の移動通信端末装置のリストを前記サーバ装置の記憶部に記憶するとともに、各移動通信端末装置向けの情報として、一つの演算処理を分割したタスクを前記記憶部に記憶する記憶処理と、
前記記憶部に記憶されたリストから、移動通信端末装置向けの情報が配信されていない第１の移動通信端末装置を選択する選択処理と、
前記選択処理により選択された第１の移動通信端末装置向けの情報と他の移動通信端末装置に対し他の移動通信端末装置向けの情報を送信する命令とを含むメッセージを作成するメッセージ作成処理と、
メッセージをショートメッセージ（ＳＭ）に変換して前記第１の移動通信端末装置に配信する前記移動通信ネットワークのゲートウェイ装置に対し、前記メッセージ作成処理により作成されたメッセージを送信する送信処理と、
前記記憶部に記憶されたリストから、移動通信端末装置向けの情報が配信されていない第２の移動通信端末装置のリストを作成し、前記第１の移動通信端末装置に対し、作成したリストを提供するリスト作成処理と、
前記第１の移動通信端末装置に対し、前記記憶部に記憶された第２の移動通信端末装置向けの情報を提供する情報提供処理と、
各移動通信端末装置から各タスクの実行結果を収集し、収集した実行結果を集約して前記演算処理の処理結果を出力する集約処理とをコンピュータに実行させることを特徴とするサーバプログラム。
【請求項１４】
ショートメッセージサービス（ＳＭＳ）を提供する移動通信ネットワークを介して複数の移動通信端末装置に情報を配信する主移動通信端末装置において、
各移動通信端末装置の位置を検出する位置検出部と、
前記複数の移動通信端末装置のリストを記憶するとともに、各移動通信端末装置向けの情報として、前記位置検出部により検出された位置を含む地域における災害の到来を通知する情報を記憶する記憶部と、
前記記憶部に記憶されたリストから、移動通信端末装置向けの情報が配信されていない第１の移動通信端末装置を選択する選択部と、
前記選択部により選択された第１の移動通信端末装置向けの情報と他の移動通信端末装置に対し他の移動通信端末装置向けの情報を送信する命令とを含むショートメッセージ（ＳＭ）を作成するメッセージ作成部と、
前記移動通信ネットワークを介して、前記第１の移動通信端末装置に対し、前記メッセージ作成部により作成されたショートメッセージを送信する送信部と、
前記記憶部に記憶されたリストから、移動通信端末装置向けの情報が配信されていない第２の移動通信端末装置のリストを作成し、前記第１の移動通信端末装置に対し、作成したリストを提供するリスト作成部と、
前記第１の移動通信端末装置に対し、前記記憶部に記憶された第２の移動通信端末装置向けの情報を提供する情報提供部とを備えることを特徴とする主移動通信端末装置。
【請求項１５】
ショートメッセージサービス（ＳＭＳ）を提供する移動通信ネットワークを介して複数の移動通信端末装置に情報を配信する主移動通信端末装置において、
前記複数の移動通信端末装置のリストを記憶するとともに、各移動通信端末装置向けの情報として、各移動通信端末装置が属する地域における災害の到来までの時間と災害の大きさとを含む情報をソートして記憶する記憶部と、
前記記憶部に記憶されたリストから、移動通信端末装置向けの情報が配信されていない第１の移動通信端末装置として、前記災害の到来までの時間が短いものと前記災害の大きさが大きいものとのいずれかを優先して選択する選択部と、
前記選択部により選択された第１の移動通信端末装置向けの情報と他の移動通信端末装置に対し他の移動通信端末装置向けの情報を送信する命令とを含むショートメッセージ（ＳＭ）を作成するメッセージ作成部と、
前記移動通信ネットワークを介して、前記第１の移動通信端末装置に対し、前記メッセージ作成部により作成されたショートメッセージを送信する送信部と、
前記記憶部に記憶されたリストから、移動通信端末装置向けの情報が配信されていない第２の移動通信端末装置のリストを作成し、前記第１の移動通信端末装置に対し、作成したリストを提供するリスト作成部と、
前記第１の移動通信端末装置に対し、前記記憶部に記憶された第２の移動通信端末装置向けの情報を提供する情報提供部とを備えることを特徴とする主移動通信端末装置。
【請求項１６】
ショートメッセージサービス（ＳＭＳ）を提供する移動通信ネットワークを介して複数の移動通信端末装置に情報を配信する主移動通信端末装置において、
前記複数の移動通信端末装置のリストを記憶するとともに、各移動通信端末装置向けの情報として、各移動通信端末装置が属する地域における災害の到来までの時間と災害の大きさとを含む情報をソートして記憶する記憶部と、
前記記憶部に記憶されたリストから、移動通信端末装置向けの情報が配信されていない第１の移動通信端末装置を選択する選択部と、
前記選択部により選択された第１の移動通信端末装置向けの情報と他の移動通信端末装置に対し他の移動通信端末装置向けの情報を送信する命令とを含むショートメッセージ（ＳＭ）を作成するメッセージ作成部と、
前記移動通信ネットワークを介して、前記第１の移動通信端末装置に対し、前記メッセージ作成部により作成されたショートメッセージを送信する送信部と、
前記記憶部に記憶されたリストから、移動通信端末装置向けの情報が配信されていない第２の移動通信端末装置として、前記災害の到来までの時間が短いものと前記災害の大きさが大きいものとのいずれかを優先して含めたリストを作成し、前記第１の移動通信端末装置に対し、作成したリストを提供するリスト作成部と、
前記第１の移動通信端末装置に対し、前記記憶部に記憶された第２の移動通信端末装置向けの情報を提供する情報提供部とを備えることを特徴とする主移動通信端末装置。
【請求項１７】
ショートメッセージサービス（ＳＭＳ）を提供する移動通信ネットワークを介して複数の移動通信端末装置に情報を配信する主移動通信端末装置において、
前記複数の移動通信端末装置のリストを記憶するとともに、各移動通信端末装置向けの情報として、一つの演算処理を分割したタスクを記憶する記憶部と、
前記記憶部に記憶されたリストから、移動通信端末装置向けの情報が配信されていない第１の移動通信端末装置を選択する選択部と、
前記選択部により選択された第１の移動通信端末装置向けの情報と他の移動通信端末装置に対し他の移動通信端末装置向けの情報を送信する命令とを含むショートメッセージ（ＳＭ）を作成するメッセージ作成部と、
前記移動通信ネットワークを介して、前記第１の移動通信端末装置に対し、前記メッセージ作成部により作成されたショートメッセージを送信する送信部と、
前記記憶部に記憶されたリストから、移動通信端末装置向けの情報が配信されていない第２の移動通信端末装置のリストを作成し、前記第１の移動通信端末装置に対し、作成したリストを提供するリスト作成部と、
前記第１の移動通信端末装置に対し、前記記憶部に記憶された第２の移動通信端末装置向けの情報を提供する情報提供部と、
各移動通信端末装置から各タスクの実行結果を収集し、収集した実行結果を集約して前記演算処理の処理結果を出力する集約部とを備えることを特徴とする主移動通信端末装置。
【発明の詳細な説明】
【技術分野】
【０００１】
本発明は、移動通信端末装置、移動通信端末プログラム、サーバ装置、サーバプログラム、及び情報配信方法に関するものである。特に、ショートメッセージサービス（ＳＭＳ）を提供する移動通信ネットワークを利用するものに関する。
【背景技術】
【０００２】
携帯電話の接続率や通信の安定度が不十分であるという課題に対し、例えば、携帯電話が、公衆網を介して移動ソフトウェア配布サーバから移動可能ソフトウェアを直接ダウンロードするのではなく、ホームネットワークを介して代理端末から移動可能ソフトウェアをダウンロードする方法が公知である（例えば、特許文献１参照）。
【特許文献１】特開２００１−１８６５７０号公報
【発明の開示】
【発明が解決しようとする課題】
【０００３】
従来の携帯電話への情報配信方式においては、携帯電話無線ネットワーク設備を用いて、センターサーバから電子メールやショートメッセージサービス（ＳＭＳ）により個々の携帯電話に情報を配信していたが、この方式では、センターサーバ一箇所から個々の携帯電話向けの情報を送信するため、携帯電話無線ネットワーク資源の圧迫や輻輳による情報配信の遅延が発生し、大量の携帯電話への即時情報配信が困難であった。また、現在、携帯電話において、ＪＡＶＡ（登録商標）、ＢＲＥＷ（登録商標）、Ｓｙｍｂｉａｎ（登録商標）などのアプリケーション実行能力、ＩＰ（Ｉｎｔｅｒｎｅｔ  Ｐｒｏｔｏｃｏｌ）通信能力、演算処理能力などが向上してきているが、携帯電話のアイドル時間にこのような情報処理能力が有効に活用されていない。
【０００４】
本発明は、携帯電話などの移動通信端末装置自体が有するショートメッセージ送信能力、ＩＰ（Ｉｎｔｅｒｎｅｔ  Ｐｒｏｔｏｃｏｌ）通信能力、情報処理能力などを活用し、複数の移動通信端末装置に対して、高速で大量の情報配信をすることを目的とする。また、同様に、複数の移動通信端末装置を用いて、大容量の計算処理をすることを目的とする。
【課題を解決するための手段】
【０００５】
本発明の移動通信端末装置は、
ショートメッセージサービス（ＳＭＳ）を提供する移動通信ネットワークを介してサーバ装置が配信する情報を処理する移動通信端末装置において、
前記移動通信ネットワークを介して、自装置向けの情報を含むショートメッセージ（ＳＭ）を受信する受信部と、
前記自装置向けの情報を処理するアプリケーションプログラムを記憶する記憶部と、
前記受信部によりショートメッセージが受信された場合に、前記記憶部に記憶されたアプリケーションプログラムを起動し、前記アプリケーションプログラムを実行して前記ショートメッセージに含まれる自装置向けの情報を処理する制御部と、
前記受信部により受信されたショートメッセージに他装置向けの情報を送信する命令が含まれていた場合に、前記他装置向けの情報を含むショートメッセージを作成する作成部と、
前記移動通信ネットワークを介して、他装置に対し、前記作成部により作成されたショートメッセージを送信する送信部とを備えることを特徴とする。
【０００６】
前記移動通信端末装置は、
前記サーバ装置から他装置のリストを取得するリスト取得部と、
前記サーバ装置から前記他装置向けの情報を取得する情報取得部とを備え、
前記作成部は、前記情報取得部により取得された他装置向けの情報を含むショートメッセージを作成し、
前記送信部は、前記リスト取得部により取得されたリストに含まれる他装置に対し、前記作成部により作成されたショートメッセージを送信することを特徴とする。
【０００７】
前記移動通信端末装置は、さらに、
前記移動通信ネットワークからＩＰ（Ｉｎｔｅｒｎｅｔ  Ｐｒｏｔｏｃｏｌ）アドレスを取得するアドレス取得部を備え、
前記制御部は、前記アドレス取得部により取得されたＩＰアドレスを用いて、前記サーバ装置とのＴＣＰ（Ｔｒａｎｓｍｉｓｓｉｏｎ  Ｃｏｎｔｒｏｌ  Ｐｒｏｔｏｃｏｌ）／ＩＰ通信を設定し、
前記リスト取得部は、前記制御部により設定されたＴＣＰ／ＩＰ通信により前記他装置のリストを取得し、
前記情報取得部は、前記制御部により設定されたＴＣＰ／ＩＰ通信により前記他装置向けの情報を取得することを特徴とする。
【０００８】
前記受信部により受信されるショートメッセージは、さらに、他装置のリストと前記他装置向けの情報を含み、
前記作成部は、前記受信部により受信されたショートメッセージに含まれる他装置向けの情報を含むショートメッセージを作成し、
前記送信部は、前記受信部により受信されたショートメッセージに含まれるリストに含まれる他装置に対し、前記作成部により作成されたショートメッセージを送信することを特徴とする。
【０００９】
前記サーバ装置により配信される情報は、各移動通信端末装置が属する地域における災害の到来を通知する情報であり、
前記移動通信端末装置は、さらに、
前記制御部による前記自装置向けの情報の処理結果に基づいて、自装置が属する地域における災害の到来までの時間を出力する出力部を備えることを特徴とする。
【００１０】
前記サーバ装置により配信される情報は、一つの演算処理から分割されたタスクであり、
前記制御部は、前記タスクを実行し、
前記移動通信端末装置は、さらに、
前記サーバ装置に対し、前記制御部による前記タスクの実行結果を報告する報告部を備えることを特徴とする。
【００１１】
本発明の移動通信端末プログラムは、
ショートメッセージサービス（ＳＭＳ）を提供する移動通信ネットワークを介してサーバ装置が配信する情報を処理する移動通信端末装置により実行される移動通信端末プログラムにおいて、
前記移動通信ネットワークを介して、前記移動通信端末装置向けの情報を含むショートメッセージ（ＳＭ）を受信する受信処理と、
前記移動通信端末装置向けの情報を処理するアプリケーションプログラムを前記移動通信端末装置の記憶部に記憶する記憶処理と、
前記受信処理によりショートメッセージが受信された場合に、前記記憶部に記憶されたアプリケーションプログラムを起動し、前記移動通信端末装置の制御部により前記アプリケーションプログラムを実行して前記ショートメッセージに含まれる移動通信端末装置向けの情報を処理する制御処理と、
前記受信処理により受信されたショートメッセージに他装置向けの情報を送信する命令が含まれていた場合に、前記他装置向けの情報を含むショートメッセージを作成する作成処理と、
前記移動通信ネットワークを介して、前記他装置に対し、前記作成処理により作成されたショートメッセージを送信する送信処理とをコンピュータに実行させることを特徴とする。
【００１２】
本発明のサーバ装置は、
ショートメッセージサービス（ＳＭＳ）を提供する移動通信ネットワークを介して複数の移動通信端末装置に情報を配信するサーバ装置において、
前記複数の移動通信端末装置のリストと各移動通信端末装置向けの情報とを記憶する記憶部と、
前記記憶部に記憶されたリストから、移動通信端末装置向けの情報が配信されていない第１の移動通信端末装置を選択する選択部と、
前記選択部により選択された第１の移動通信端末装置向けの情報と他の移動通信端末装置に対し他の移動通信端末装置向けの情報を送信する命令とを含むメッセージを作成するメッセージ作成部と、
メッセージをショートメッセージ（ＳＭ）に変換して移動通信端末装置に配信する前記移動通信ネットワークのゲートウェイ装置に対し、前記メッセージ作成部により作成されたメッセージを送信する送信部と、
前記記憶部に記憶されたリストから、移動通信端末装置向けの情報が配信されていない第２の移動通信端末装置のリストを作成し、前記第１の移動通信端末装置に対し、作成したリストを提供するリスト作成部と、
前記第１の移動通信端末装置に対し、前記記憶部に記憶された第２の移動通信端末装置向けの情報を提供する情報提供部とを備えることを特徴とする。
【００１３】
前記記憶部は、各移動通信端末装置向けの情報として、各移動通信端末装置が属する地域における災害の到来を通知する情報を記憶することを特徴とする。
【００１４】
前記サーバ装置は、さらに、
各移動通信端末装置の位置を検出する位置検出部を備え、
前記記憶部は、各移動通信端末装置向けの情報として、前記位置検出部により検出された位置を含む地域における災害の到来を通知する情報を記憶することを特徴とする。
【００１５】
前記記憶部に記憶される災害の到来を通知する情報は、各地域における災害の到来までの時間と災害の大きさとを含み、
前記記憶部は、前記災害の到来を通知する情報をソートして記憶し、
前記選択部は、前記第１の移動通信端末装置として、前記災害の到来までの時間が短いものと前記災害の大きさが大きいものとのいずれかを優先して選択することを特徴とする。
【００１６】
前記記憶部に記憶される災害の到来を通知する情報は、各地域における災害の到来までの時間と災害の大きさとを含み、
前記記憶部は、前記災害の到来を通知する情報をソートして記憶し、
前記リスト作成部は、前記第２の移動通信端末装置として、前記災害の到来までの時間が短いものと前記災害の大きさが大きいものとのいずれかを優先して含めたリストを作成することを特徴とする。
【００１７】
前記記憶部は、各移動通信端末装置向けの情報として、一つの演算処理を分割したタスクを記憶し、
前記サーバ装置は、さらに、
各移動通信端末装置から各タスクの実行結果を収集し、収集した実行結果を集約して前記演算処理の処理結果を出力する集約部を備えることを特徴とする。
【００１８】
本発明のサーバプログラムは、
ショートメッセージサービス（ＳＭＳ）を提供する移動通信ネットワークを介して複数の移動通信端末装置に情報を配信するサーバ装置により実行されるサーバプログラムにおいて、
前記複数の移動通信端末装置のリストと各移動通信端末装置向けの情報とを前記サーバ装置の記憶部に記憶する記憶処理と、
前記記憶部に記憶されたリストから、移動通信端末装置向けの情報が配信されていない第１の移動通信端末装置を選択する選択処理と、
前記選択処理により選択された第１の移動通信端末装置向けの情報と他の移動通信端末装置に対し他の移動通信端末装置向けの情報を送信する命令とを含むメッセージを作成するメッセージ作成処理と、
メッセージをショートメッセージ（ＳＭ）に変換して前記第１の移動通信端末装置に配信する前記移動通信ネットワークのゲートウェイ装置に対し、前記メッセージ作成処理により作成されたメッセージを送信する送信処理と、
前記記憶部に記憶されたリストから、移動通信端末装置向けの情報が配信されていない第２の移動通信端末装置のリストを作成し、前記第１の移動通信端末装置に対し、作成したリストを提供するリスト作成処理と、
前記第１の移動通信端末装置に対し、前記記憶部に記憶された第２の移動通信端末装置向けの情報を提供する情報提供処理とをコンピュータに実行させることを特徴とする。
【００１９】
本発明の情報配信方法は、
ショートメッセージサービス（ＳＭＳ）を提供する移動通信ネットワークと、前記移動通信ネットワークを介して情報を配信するサーバ装置と、前記サーバ装置により配信された情報を処理する複数の移動通信端末装置とを備える移動通信システムを用いて、情報を配信する情報配信方法において、
前記サーバ装置が、前記複数の移動通信端末装置のリストと各移動通信端末装置向けの情報とを自装置の記憶部に記憶する第１の記憶ステップと、
前記サーバ装置が、自装置の記憶部に記憶されたリストから、移動通信端末装置向けの情報が配信されていない第１の移動通信端末装置を選択する選択ステップと、
前記サーバ装置が、前記選択ステップにより選択された第１の移動通信端末装置向けの情報と他の移動通信端末装置に対し他の移動通信端末装置向けの情報を送信する命令とを含むメッセージを作成するメッセージ作成ステップと、
前記サーバ装置が、前記移動通信ネットワークのゲートウェイ装置に対し、前記メッセージ作成ステップにより作成されたメッセージを送信する第１の送信ステップと、
前記移動通信ネットワークのゲートウェイ装置が、前記サーバ装置から、前記第１の送信ステップにより送信されたメッセージを、ショートメッセージ（ＳＭ）に変換して前記第１の移動通信端末装置に配信する配信ステップと、
前記第１の移動通信端末装置が、前記移動通信ネットワークを介して、前記配信ステップにより配信された自装置向けの情報を含むショートメッセージを受信する受信ステップと、
前記第１の移動通信端末装置が、前記自装置向けの情報を処理するアプリケーションプログラムを自装置の記憶部に記憶する第２の記憶ステップと、
前記第１の移動通信端末装置が、前記受信ステップによりショートメッセージが受信された場合に、自装置の記憶部に記憶されたアプリケーションプログラムを起動し、自装置の制御部により前記アプリケーションプログラムを実行して前記ショートメッセージに含まれる自装置向けの情報を処理する制御ステップと、
前記第１の移動通信端末装置が、前記受信ステップにより受信されたショートメッセージに前記他の移動通信端末装置向けの情報を送信する命令が含まれていた場合に、第２の移動通信端末装置向けの情報を含むショートメッセージを作成する作成ステップと、
前記第１の移動通信端末装置が、前記移動通信ネットワークを介して、前記第２の移動通信端末装置に対し、前記作成ステップにより作成されたショートメッセージを送信する第２の送信ステップとを備えることを特徴とする。
【００２０】
前記情報配信方法は、さらに、
前記サーバ装置が、自装置の記憶部に記憶されたリストから、移動通信端末装置向けの情報が配信されていない第２の移動通信端末装置のリストを作成し、前記第１の移動通信端末装置に対し、作成したリストを提供するリスト作成ステップと、
前記第１の移動通信端末装置が、前記サーバ装置から、前記リスト作成ステップにより提供された第２の移動通信端末装置のリストを取得するリスト取得ステップと、
前記サーバ装置が、前記第１の移動通信端末装置に対し、自装置の記憶部に記憶された第２の移動通信端末装置向けの情報を提供する情報提供ステップと、
前記第１の移動通信端末装置が、前記サーバ装置から、前記情報提供ステップにより提供された第２の移動通信端末装置向けの情報を取得する情報取得ステップとを備え、
前記作成ステップは、前記第１の移動通信端末装置が、前記情報取得ステップにより取得された第２の移動通信端末装置向けの情報を含むショートメッセージを作成し、
前記第２の送信ステップは、前記第１の移動通信端末装置が、前記移動通信ネットワークを介して、前記リスト取得ステップにより取得されたリストに含まれる第２の移動通信端末装置に対し、前記作成ステップにより作成されたショートメッセージを送信することを特徴とする。
【００２１】
本発明の情報配信方法は、
ショートメッセージサービス（ＳＭＳ）を提供する移動通信ネットワークと、前記移動通信ネットワークを介して情報を配信する主移動通信端末装置と、前記移動通信端末装置により配信された情報を処理する複数の移動通信端末装置とを備える移動通信システムを用いて、情報を配信する情報配信方法において、
前記主移動通信端末装置が、前記複数の移動通信端末装置のリストと各移動通信端末装置向けの情報とを自装置の記憶部に記憶する第１の記憶ステップと、
前記主移動通信端末装置が、自装置の記憶部に記憶されたリストから、移動通信端末装置向けの情報が配信されていない第１の移動通信端末装置を選択する選択ステップと、
前記主移動通信端末装置が、前記選択ステップにより選択された第１の移動通信端末装置向けの情報と他の移動通信端末装置に対し他の移動通信端末装置向けの情報を送信する命令とを含むショートメッセージ（ＳＭ）を作成するメッセージ作成ステップと、
前記主移動通信端末装置が、前記移動通信ネットワークを介して、前記第１の移動通信端末装置に対し、前記メッセージ作成ステップにより作成されたショートメッセージを送信する第１の送信ステップと、
前記第１の移動通信端末装置が、前記移動通信ネットワークを介して、前記配信ステップにより配信された自装置向けの情報を含むショートメッセージを受信する受信ステップと、
前記第１の移動通信端末装置が、前記自装置向けの情報を処理するアプリケーションプログラムを自装置の記憶部に記憶する第２の記憶ステップと、
前記第１の移動通信端末装置が、前記受信ステップによりショートメッセージが受信された場合に、自装置の記憶部に記憶されたアプリケーションプログラムを起動し、自装置の制御部により前記アプリケーションプログラムを実行して前記ショートメッセージに含まれる自装置向けの情報を処理する制御ステップと、
前記第１の移動通信端末装置が、前記受信ステップにより受信されたショートメッセージに前記他の移動通信端末装置向けの情報を送信する命令が含まれていた場合に、第２の移動通信端末装置向けの情報を含むショートメッセージを作成する作成ステップと、
前記第１の移動通信端末装置が、前記移動通信ネットワークを介して、前記第２の移動通信端末装置に対し、前記作成ステップにより作成されたショートメッセージを送信する第２の送信ステップとを備えることを特徴とする。
【発明の効果】
【００２２】
本発明では、ＳＭＳを提供する移動通信ネットワークを介してサーバ装置が配信する情報を処理する移動通信端末装置が、受信部によりショートメッセージが受信された場合に、記憶部に記憶されたアプリケーションプログラムを起動し、アプリケーションプログラムを実行してショートメッセージに含まれる自装置向けの情報を処理する制御部と、受信部により受信されたショートメッセージに他装置向けの情報を送信する命令が含まれていた場合に、他装置向けの情報を含むショートメッセージを作成する作成部と、移動通信ネットワークを介して、他装置に対し、作成部により作成されたショートメッセージを送信する送信部とを備えることにより、サーバ装置から複数の移動通信端末装置に対して、高速で大量の情報配信が可能となる。
【００２３】
また、移動通信端末装置において、作成部が、情報取得部により取得された他装置向けの情報を含むショートメッセージを作成し、送信部が、リスト取得部により取得されたリストに含まれる他装置に対し、作成部により作成されたショートメッセージを送信することにより、ショートメッセージに含まれるデータの量の抑制が可能となる。
【００２４】
また、移動通信端末装置において、リスト取得部が、ＴＣＰ／ＩＰ通信により他装置のリストを取得し、情報取得部が、ＴＣＰ／ＩＰ通信により他装置向けの情報を取得することにより、移動通信端末装置が他装置のリストと他装置向けの情報とをより確実に取得することが可能となる。
【００２５】
また、移動通信端末装置において、送信部が、受信部により受信されたショートメッセージに含まれるリストに含まれる他装置に対し、作成部により作成されたショートメッセージを送信することにより、移動通信端末装置が他装置のリストと他装置向けの情報とを自装置向けの情報と同時に取得することができ、処理の単純化が可能となる。
【００２６】
また、移動通信端末装置が、制御部による自装置向けの情報の処理結果に基づいて、自装置が属する地域における災害の到来までの時間を出力する出力部を備えることにより、移動通信端末装置の利用者に対して、有益な情報を提供することが可能となる。
【００２７】
また、サーバ装置により配信される情報が、一つの演算処理から分割されたタスクであり、移動通信端末装置が、サーバ装置に対し、制御部によるタスクの実行結果を報告する報告部を備えることにより、大規模計算機システムを用いなくても、移動通信端末装置を用いるだけで、大容量の計算処理が可能となる。
【００２８】
また、ＳＭＳを提供する移動通信ネットワークを介してサーバ装置が配信する情報を処理する移動通信端末装置により実行される移動通信端末プログラムが、受信処理によりショートメッセージが受信された場合に、記憶部に記憶されたアプリケーションプログラムを起動し、制御部によりアプリケーションプログラムを実行してショートメッセージに含まれる移動通信端末装置向けの情報を処理する制御処理と、受信処理により受信されたショートメッセージに他装置向けの情報を送信する命令が含まれていた場合に、他装置向けの情報を含むショートメッセージを作成する作成処理と、移動通信ネットワークを介して、他装置に対し、作成処理により作成されたショートメッセージを送信する送信処理とをコンピュータに実行させることにより、サーバ装置から複数の移動通信端末装置に対して、高速で大量の情報配信が可能となる。
【００２９】
また、ＳＭＳを提供する移動通信ネットワークを介して複数の移動通信端末装置に情報を配信するサーバ装置が、選択部により選択された第１の移動通信端末装置向けの情報と他の移動通信端末装置に対し他の移動通信端末装置向けの情報を送信する命令とを含むメッセージを作成するメッセージ作成部と、移動通信ネットワークのゲートウェイ装置に対し、メッセージ作成部により作成されたメッセージを送信する送信部と、記憶部に記憶されたリストから、移動通信端末装置向けの情報が配信されていない第２の移動通信端末装置のリストを作成し、第１の移動通信端末装置に対し、作成したリストを提供するリスト作成部と、第１の移動通信端末装置に対し、記憶部に記憶された第２の移動通信端末装置向けの情報を提供する情報提供部とを備えることにより、サーバ装置から複数の移動通信端末装置に対して、高速で大量の情報配信が可能となる。
【００３０】
また、サーバ装置において、記憶部が、各移動通信端末装置向けの情報として、各移動通信端末装置が属する地域における災害の到来を通知する情報を記憶することにより、移動通信端末装置の利用者に対して、有益な情報を提供することが可能となる。
【００３１】
また、サーバ装置において、記憶部が、各移動通信端末装置向けの情報として、位置検出部により検出された位置を含む地域における災害の到来を通知する情報を記憶することにより、移動通信端末装置の利用者がいる地域に合わせて、適切な情報を提供することが可能となる。
【００３２】
また、サーバ装置において、記憶部が、災害の到来を通知する情報をソートして記憶し、選択部が、第１の移動通信端末装置として、災害の到来までの時間が短いものと災害の大きさが大きいものとのいずれかを優先して選択することにより、危険度の高い地域にいる移動通信端末装置の利用者に対して、迅速な情報提供が可能となる。
【００３３】
また、サーバ装置において、記憶部が、災害の到来を通知する情報をソートして記憶し、リスト作成部が、第２の移動通信端末装置として、災害の到来までの時間が短いものと災害の大きさが大きいものとのいずれかを優先して含めたリストを作成することにより、危険度の高い地域にいる移動通信端末装置の利用者に対して、迅速な情報提供が可能となる。
【００３４】
また、サーバ装置において、記憶部が、各移動通信端末装置向けの情報として、一つの演算処理を分割したタスクを記憶し、サーバ装置が、各移動通信端末装置から各タスクの実行結果を収集し、収集した実行結果を集約して演算処理の処理結果を出力する集約部を備えることにより、大規模計算機システムを用いなくても、移動通信端末装置を用いるだけで、大容量の計算処理が可能となる。
【００３５】
また、ＳＭＳを提供する移動通信ネットワークを介して複数の移動通信端末装置に情報を配信するサーバ装置により実行されるサーバプログラムが、選択処理により選択された第１の移動通信端末装置向けの情報と他の移動通信端末装置に対し他の移動通信端末装置向けの情報を送信する命令とを含むメッセージを作成するメッセージ作成処理と、移動通信ネットワークのゲートウェイ装置に対し、メッセージ作成処理により作成されたメッセージを送信する送信処理と、記憶部に記憶されたリストから、移動通信端末装置向けの情報が配信されていない第２の移動通信端末装置のリストを作成し、第１の移動通信端末装置に対し、作成したリストを提供するリスト作成処理と、第１の移動通信端末装置に対し、記憶部に記憶された第２の移動通信端末装置向けの情報を提供する情報提供処理とをコンピュータに実行させることにより、サーバ装置から複数の移動通信端末装置に対して、高速で大量の情報配信が可能となる。
【００３６】
また、ＳＭＳを提供する移動通信ネットワークと、移動通信ネットワークを介して情報を配信するサーバ装置と、サーバ装置により配信された情報を処理する複数の移動通信端末装置とを備える移動通信システムを用いて、情報を配信する情報配信方法が、サーバ装置が、選択ステップにより選択された第１の移動通信端末装置向けの情報と他の移動通信端末装置に対し他の移動通信端末装置向けの情報を送信する命令とを含むメッセージを作成するメッセージ作成ステップと、サーバ装置が、移動通信ネットワークのゲートウェイ装置に対し、メッセージ作成ステップにより作成されたメッセージを送信する第１の送信ステップと、移動通信ネットワークのゲートウェイ装置が、サーバ装置から、第１の送信ステップにより送信されたメッセージを、ショートメッセージ（ＳＭ）に変換して第１の移動通信端末装置に配信する配信ステップと、第１の移動通信端末装置が、受信ステップによりショートメッセージが受信された場合に、自装置の記憶部に記憶されたアプリケーションプログラムを起動し、自装置の制御部によりアプリケーションプログラムを実行してショートメッセージに含まれる自装置向けの情報を処理する制御ステップと、第１の移動通信端末装置が、受信ステップにより受信されたショートメッセージに他の移動通信端末装置向けの情報を送信する命令が含まれていた場合に、第２の移動通信端末装置向けの情報を含むショートメッセージを作成する作成ステップと、第１の移動通信端末装置が、移動通信ネットワークを介して、第２の移動通信端末装置に対し、作成ステップにより作成されたショートメッセージを送信する第２の送信ステップとを備えることにより、サーバ装置から複数の移動通信端末装置に対して、高速で大量の情報配信が可能となる。
【００３７】
また、情報配信方法が、サーバ装置が、自装置の記憶部に記憶されたリストから、移動通信端末装置向けの情報が配信されていない第２の移動通信端末装置のリストを作成し、第１の移動通信端末装置に対し、作成したリストを提供するリスト作成ステップと、サーバ装置が、第１の移動通信端末装置に対し、記憶部に記憶された第２の移動通信端末装置向けの情報を提供する情報提供ステップとを備え、情報配信方法において、第１の移動通信端末装置が、情報取得ステップにより取得された第２の移動通信端末装置向けの情報を含むショートメッセージを作成し、第１の移動通信端末装置が、移動通信ネットワークを介して、リスト取得ステップにより取得されたリストに含まれる第２の移動通信端末装置に対し、作成ステップにより作成されたショートメッセージを送信することにより、ショートメッセージに含まれるデータの量の抑制が可能となる。
【００３８】
また、情報配信方法が、主移動通信端末装置が、選択ステップにより選択された第１の移動通信端末装置向けの情報と他の移動通信端末装置に対し他の移動通信端末装置向けの情報を送信する命令とを含むショートメッセージ（ＳＭ）を作成するメッセージ作成ステップと、主移動通信端末装置が、移動通信ネットワークを介して、第１の移動通信端末装置に対し、メッセージ作成ステップにより作成されたショートメッセージを送信する第１の送信ステップとを備えることにより、ショートメッセージ以外のメッセージをショートメッセージに変換するゲートウェイ装置を介さずに情報配信を行うことが可能となる。
【発明を実施するための最良の形態】
【００３９】
以下、本発明の実施の形態について図を用いて説明する。以下では、携帯端末に大量かつ即時に情報を配信する場合に、携帯端末自身が配信サーバの役割を分担する仕組み、及び分散処理を実現する仕組みについて説明する。
【００４０】
実施の形態１．
図１は、本実施の形態に係る移動通信システムの構成を示す図である。
【００４１】
本実施の形態において、移動通信システム１００は、複数の携帯端末２００（移動通信端末装置の一例）、配信サーバ３００（サーバ装置の一例）、移動通信ネットワーク４００などにより構成されている。
【００４２】
移動通信ネットワーク４００は、ＳＭＳゲートウェイ５００（ゲートウェイ装置の一例）、基地局６００などにより構成されている。移動通信ネットワーク４００は、コアネットワークと、複数の基地局６００を含む無線ネットワークとの両方を含むものとする。移動通信ネットワーク４００は、ショートメッセージサービス（ＳＭＳ）を提供する。
【００４３】
ＳＭＳゲートウェイ５００は、移動通信ネットワーク４００の外部に接続された装置（例えば、配信サーバ３００）からテキスト又はバイナリデータを受信し、受信したデータをショートメッセージに変換して所定の宛先（例えば、配信サーバ３００により指定された携帯端末２００）に送信する。
【００４４】
基地局６００は、携帯端末２００と無線通信を行い、携帯端末２００が移動通信ネットワーク４００を介して送信／受信するデータ（例えば、ショートメッセージやＩＰパケット）を中継する。
【００４５】
配信サーバ３００は、移動通信ネットワーク４００を介して、複数の携帯端末２００に情報を配信する。移動通信システム１００は、複数の配信サーバ３００を備えて分散システムや二重化システムを構成していてもよい。
【００４６】
携帯端末２００は、例えば、携帯電話、ＰＤＡ（Ｐｅｒｓｏｎａｌ  Ｄｉｇｉｔａｌ  Ａｓｓｉｓｔａｎｔ）などであり、ショートメッセージ（ＳＭ）を送信及び受信する機能を有する。携帯端末２００は、移動通信ネットワーク４００を介して、他の携帯端末２００や他の装置に／からショートメッセージを送信／受信する。携帯端末２００は、配信サーバ３００が配信する情報を処理する。情報処理の詳細については後述する。
【００４７】
携帯端末２００は、配信サーバ３００により階層化して管理される。「一次情報配信携帯端末」（配信サーバ３００から情報を直接配信される携帯端末２００）はＳＭＳセンタープッシュ方式（図１において実線で示したＳＭＳ１０１のルート）により情報の配信を受ける。「一次情報配信携帯端末」はショートメッセージを受信すると自端末アプリケーションを起動し、「情報の未送信端末」（まだ情報の配信を受けていない携帯端末２００）を配信サーバ３００にＴＣＰ／ＩＰ通信（図１におけるＴＣＰ／ＩＰ１０２のルート）を用いて問い合わせ、「情報の未送信端末」に対して、ショートメッセージを送信する。配信サーバ３００の管理下にある全ての携帯端末が同様の動作を行うことにより、大量の携帯端末に対して情報の即時配信を実現することができる。ここで、配信サーバ３００以外の装置に携帯端末２００を階層化して管理させ、配信サーバ３００が、その装置が管理する情報を参照して情報配信に利用してもよい。
【００４８】
例えば、携帯端末２００が携帯電話である場合、上記アプリケーションとしては、その携帯電話の機種及びキャリア（携帯電話会社）によって異なるが、現在以下のような種類がある。
【００４９】
アプリケーションプログラムの例：
・ＢＲＥＷ（登録商標）（ＢＲＥＷ（登録商標）携帯電話端末で稼働するアプリケーション）
・ＪＡＶＡ（登録商標）（ｉアプリ（登録商標）及びＥＺアプリなど）
・Ｓｙｍｂｉａｎ（登録商標）（Ｓｙｍｂｉａｎ（登録商標）アプリなど、携帯電話のＳｙｍｂｉａｎ  ＯＳ（オペレーティングシステム）上で稼働するプログラム）
これらのプログラムは、キャリアが有するＳＭＳ送信設備が送信するショートメッセージにより起動することができる。このようなショートメッセージには、アプリケーションプログラムを起動するコマンドが含まれている。現状では、ショートメッセージを利用する方法以外に携帯電話のアプリケーションを遠隔起動するものとして一般的な方法はない。
【００５０】
上記アプリケーションは、一旦起動されると、ＩＰアドレスを動的に獲得しＴＣＰ／ＩＰによる通信をすることができる。本実施の形態では、この方法により、携帯端末２００と配信サーバ３００がＴＣＰ／ＩＰ通信を行う。また、上記アプリケーションはショートメッセージを送信することができる。
【００５１】
ＴＣＰ／ＩＰによる通信が可能となった携帯端末２００は、配信サーバ３００にアクセスし、まだ配信が完了されていない携帯端末アドレスリスト（「情報の未送信端末」のリスト）を取得し、そのリスト上の携帯端末２００に対してショートメッセージを送信する。このような仕組みの連鎖は、全ての登録された携帯端末２００にショートメッセージの送信が完了するまで継続される。この仕組みにより、配信サーバ３００から全ての携帯端末２００に対して大量にショートメッセージを発信するのではなく、配信サーバ３００と複数の携帯端末２００に分散してショートメッセージを発信することができるため、キャリアが保有するショートメッセージ配信設備の一部に集中的に負荷をかけずに高速の情報配信を行うことが可能となる。また、ショートメッセージの受信によって励起された携帯端末２００のアプリケーションプログラム自身が、配信サーバ３００上にある未処理送信要求（配信サーバ３００が携帯端末２００に「情報の未送信端末」のリスト内にある端末に情報を送信することを要求する。）に基づきショートメッセージを連鎖的に送信することで、配信サーバ３００とＳＭＳゲートウェイ５００との間の伝送負荷を軽減することも可能となる。
【００５２】
ここで、移動通信システム１００において、携帯端末２００ａ（主移動通信端末装置の一例）（以下、主携帯端末という。）が配信サーバ３００の代わりに、移動通信ネットワーク４００を介して、複数の携帯端末２００に情報を配信してもよい（主携帯端末が情報の発信元となる。）。主携帯端末としては、前述した情報配信を受ける携帯端末２００のいずれかを利用してもよいし、別個の（専用の）携帯端末を利用してもよい。
【００５３】
主携帯端末は、例えば、「０次情報配信携帯端末」（配信サーバ３００や他の携帯端末２００からショートメッセージを受信することなく、自ら情報配信を行う携帯端末）として、他の携帯端末２００を階層化して管理するか、又は携帯端末２００を階層化して管理する他の装置により、当該階層の最上位の携帯端末として管理される。主携帯端末はＳＭＳを利用して、ショートメッセージを送信することにより情報を配信する（図１において点線で示したＳＭＳ１０１ａのルート）。「一次情報配信携帯端末」がショートメッセージを受信した後の各装置の動作は、前述した配信サーバ３００を用いる情報配信方法と同様である（ＳＭＳゲートウェイ５００を用いずに自ら情報配信のトリガとなるショートメッセージを作成及び送信する点を除いて、主携帯端末の機能及び動作は配信サーバ３００と同様である。他の実施の形態も含め、以下の説明において主携帯端末を用いる情報配信方法については、適宜読み替えればよいため説明を省略する。）。
【００５４】
このように、主携帯端末により情報配信を行う方法では、配信サーバ３００とＳＭＳゲートウェイ５００が不要になる。ただし、移動通信システム１００は、主携帯端末と配信サーバ３００とＳＭＳゲートウェイ５００を同時に備えていてもよいし、主携帯端末と配信サーバ３００とが協働して、又は独立して同時に情報配信を行っても構わない。
【００５５】
本実施の形態において、携帯端末２００は、携帯電話に限らず、ショートメッセージを送受信する機能及びショートメッセージの受信をトリガとしてアプリケーションプログラムを起動する機能を有する装置であればよい。
【００５６】
図２は、本実施の形態に係る移動通信端末装置の構成を示すブロック図である。
【００５７】
本実施の形態において、携帯端末２００は、受信部２０１、記憶部２０２、制御部２０３、作成部２０４、送信部２０５、リスト取得部２０６、情報取得部２０７、アドレス取得部２０８、出力部２０９、入力部２１０を備える。
【００５８】
受信部２０１は、移動通信ネットワーク４００を介して、自端末（自装置）向けの情報を含むショートメッセージ（ＳＭ）を受信する。ここで、自端末向けの情報とは、配信サーバ３００により配信される情報であって、その携帯端末２００が属する地域における災害の到来を通知する情報である。本実施の形態の説明では、携帯端末２００が属する地域とは携帯端末２００の利用者などが予め配信サーバ３００に登録した地区のことであるとする。また、本実施の形態では、災害とは地震であるとするが、津波、ミサイルなど、その他の災害にも適用可能である。
【００５９】
記憶部２０２は、自端末向けの情報を処理するアプリケーションプログラムを記憶する。制御部２０３は、受信部２０１によりショートメッセージが受信された場合に、記憶部２０２に記憶されたアプリケーションプログラムを起動し、そのアプリケーションプログラムを実行してショートメッセージに含まれる自端末向けの情報を処理する。また、制御部２０３は、アドレス取得部２０８により取得されるＩＰアドレスを用いて、配信サーバ３００とのＴＣＰ／ＩＰ通信を設定する。
【００６０】
作成部２０４は、受信部２０１により受信されたショートメッセージに「情報の未送信端末」（他装置）向けの情報を送信する命令が含まれていた場合に、情報取得部２０７により取得される「情報の未送信端末」向けの情報を含むショートメッセージを作成する。
【００６１】
送信部２０５は、移動通信ネットワーク４００を介して、リスト取得部２０６により取得されるリストに含まれる「情報の未送信端末」に対し、作成部２０４により作成されたショートメッセージを送信する。
【００６２】
リスト取得部２０６は、制御部２０３により設定されたＴＣＰ／ＩＰ通信により、配信サーバ３００から「情報の未送信端末」のリストを取得する。情報取得部２０７は、制御部２０３により設定されたＴＣＰ／ＩＰ通信により、配信サーバ３００から「情報の未送信端末」向けの情報を取得する。
【００６３】
アドレス取得部２０８は、例えばＤＨＣＰ（Ｄｙｎａｍｉｃ  Ｈｏｓｔ  Ｃｏｎｆｉｇｕｒａｔｉｏｎ  Ｐｒｏｔｏｃｏｌ）などにより、例えば移動通信ネットワーク４００に設置されたＤＨＣＰサーバなどからＩＰアドレスを取得する。
【００６４】
出力部２０９は、制御部２０３による自端末向けの情報の処理結果に基づいて、自端末の地区に地震が到来するまでの時間を出力する。入力部２１０は、上記アプリケーションプログラムを入力する。例えば、入力部２１０は、携帯端末２００の利用者によって操作され、移動通信ネットワーク４００からプログラムをダウンロードしたり、メモリカードからプログラムをコピーしたりする。
【００６５】
例えば、受信部２０１により受信されたショートメッセージに、自端末向けの情報として、「３０秒後に震度４の地震が到来する」という情報が含まれていた場合、制御部２０３は、まず「３０秒後、震度４の地震が来ます」というテキストメッセージを作成するとともに、そのメッセージを画面に表示する方法（文字のフォント、大きさ、色など）を設定する。これが制御部２０３による情報処理の内容であり、その結果として作成されたテキストメッセージは、設定された方法に基づいて、出力部２０９によりＬＣＤ（液晶ディスプレイ）の画面などに表示される。続いて、制御部２０３は、画面上の秒数がカウントダウンされるように、１秒ごとにテキストメッセージを作成し（例えば、１秒後には「２９秒後、震度４の地震が来ます」というメッセージを作成する。）、その表示の方法を設定する。出力部２０９は、最初と同様に、制御部２０３により作成されたテキストメッセージを、設定された方法に基づいて出力する。
【００６６】
上記の情報処理の内容は、一例であり、これに限らない。出力部２０９による出力の方法も、画面に情報を表示するだけでなく、紙に印刷したり、音声で出力したりする方法でもよい。
【００６７】
図３は、本実施の形態に係るサーバ装置の構成を示すブロック図である。
【００６８】
本実施の形態において、配信サーバ３００は、記憶部３０１、選択部３０２、メッセージ作成部３０３、送信部３０４、リスト作成部３０５、情報提供部３０６、出力部３０７、入力部３０８を備える。
【００６９】
記憶部３０１は、複数の携帯端末２００のリストと各携帯端末２００向けの情報とを記憶する。本実施の形態では、各携帯端末２００向けの情報とは、各携帯端末２００の地区における地震の到来を通知する情報である。
【００７０】
選択部３０２は、記憶部３０１に記憶されたリストから、携帯端末２００向けの情報が配信されていない「一次情報配信携帯端末」を選択する。
【００７１】
メッセージ作成部３０３は、選択部３０２により選択された「一次情報配信携帯端末」向けの情報と他の携帯端末２００に対し他の携帯端末２００向けの情報を送信する命令とを含むメッセージを作成する。
【００７２】
送信部３０４は、ＳＭＳゲートウェイ５００に対し、メッセージ作成部３０３により作成されたメッセージを送信する。
【００７３】
リスト作成部３０５は、記憶部３０１に記憶されたリストから、携帯端末２００向けの情報が配信されていない「情報の未送信端末」のリストを作成し、「一次情報配信携帯端末」に対し、作成したリストを提供する。
【００７４】
情報提供部３０６は、「一次情報配信携帯端末」に対し、記憶部３０１に記憶された「情報の未送信端末」向けの情報を提供する。
【００７５】
出力部３０７は、各部の処理結果などに関する情報を出力する。入力部３０８は、複数の携帯端末２００のリストと各携帯端末２００向けの情報とを入力する。入力部３０８は、携帯端末２００向けの情報として、地震観測装置や地震警報システムなど、地震の到来を通知する情報を提供する機関、装置、システムから情報を受け取って入力してもよいし、配信サーバ３００自身で地震を観測し、観測によって得た情報を入力してもよい。
【００７６】
図４は、本実施の形態に係るサーバ装置の動作を示すフロー図である。
【００７７】
配信サーバ３００の入力部３０８は、複数の携帯端末２００のリストと各携帯端末２００向けの情報とを入力する（ステップＳ３０１：第１の入力ステップ（入力処理））。配信サーバ３００の記憶部３０１は、入力部３０８により入力された複数の携帯端末２００のリストと各携帯端末２００向けの情報とを記憶する（ステップＳ３０２：第１の記憶ステップ（記憶処理））。
【００７８】
図５は、本実施の形態における移動通信端末装置のリストの一例を示す図である。
【００７９】
７０１は、複数の携帯端末２００のリストの一例を示している。この例では、携帯端末２００のリストは、携帯端末２００の識別情報（「携帯端末」の列）と携帯端末２００の地区（「地区」の列）とを含む。
【００８０】
７０２は、各携帯端末２００向けの情報の一例を示している。以下では、この情報を地震情報という。この例では、地震情報は、携帯端末２００の地区に地震が到来するまでの秒数（「何秒後？」の列）とその地区での震度（「震度」の列）とを含む。
【００８１】
図６は、本実施の形態に係る移動通信端末装置の動作を示すフロー図である。
【００８２】
携帯端末Ａ（「一次情報配信携帯端末」）の入力部２１０は、自端末向けの地震情報を処理するアプリケーションプログラムを入力する（ステップＳ２０１：第２の入力ステップ（入力処理））。携帯端末Ａの記憶部２０２は、入力部２１０により入力されたアプリケーションプログラムを記憶する（ステップＳ２０２：第２の記憶ステップ（記憶処理））。
【００８３】
図７は、本実施の形態に係る移動通信システムの動作を示すフロー図である。
【００８４】
配信サーバ３００の選択部３０２は、記憶部３０１に記憶されたリストから、携帯端末２００向けの地震情報が配信されていない携帯端末Ａを選択する（ステップＳ３０３：選択ステップ（選択処理））。配信サーバ３００のメッセージ作成部３０３は、選択部３０２により選択された携帯端末Ａ向けの地震情報と他の携帯端末２００に対し他の携帯端末２００向けの地震情報を送信する命令とを含むメッセージを作成する（ステップＳ３０４：メッセージ作成ステップ（メッセージ作成処理））。配信サーバ３００の送信部３０４は、ＳＭＳゲートウェイ５００に対し、メッセージ作成部３０３により作成されたメッセージを送信する（ステップＳ３０５：第１の送信ステップ（送信処理））。
【００８５】
移動通信ネットワーク４００内のＳＭＳゲートウェイ５００は、配信サーバ３００から、送信部３０４により送信されたメッセージを、ショートメッセージ（ＳＭ）に変換して（ステップＳ４０１）、携帯端末Ａに配信する（ステップＳ４０２）（ステップＳ４０１、Ｓ４０２：配信ステップ（配信処理））。
【００８６】
携帯端末Ａの受信部２０１は、移動通信ネットワーク４００を介して、ＳＭＳゲートウェイ５００により配信された自端末向けの地震情報を含むショートメッセージを受信する（ステップＳ２０３：受信ステップ（受信処理））。
【００８７】
図８は、本実施の形態に係る移動通信端末装置の動作を示すフロー図である。
【００８８】
携帯端末Ａの制御部２０３は、受信部２０１によりショートメッセージが受信された場合に、記憶部２０２に記憶されたアプリケーションプログラムを起動し（ステップＳ２０４）、そのアプリケーションプログラムを実行してショートメッセージに含まれる自端末向けの地震情報を取得し（ステップＳ２０５）、その地震情報を処理する（ステップＳ２０６）（ステップＳ２０４〜Ｓ２０６：制御ステップ（制御処理））。携帯端末Ａの出力部２０９は、制御部２０３による自端末向けの地震情報の処理結果に基づいて、自端末の地区における地震が来るまでの秒数と震度を画面に表示する（ステップＳ２０７：出力ステップ（出力処理））。
【００８９】
図９は、本実施の形態に係る移動通信システムの動作を示すフロー図である。
【００９０】
携帯端末Ａのアドレス取得部２０８は、受信部２０１により受信されたショートメッセージに他の携帯端末２００向けの地震情報を送信する命令が含まれていた場合に、移動通信ネットワーク４００（例えば、移動通信ネットワーク４００内のＤＨＣＰサーバ）にＩＰアドレスを要求する（ステップＳ２０８）。これに対し、移動通信ネットワーク４００は、携帯端末Ａに割り当てるＩＰアドレスを選択し（ステップＳ４０３）、携帯端末ＡにＩＰアドレスを割り当てる（ステップＳ４０４）（ステップＳ４０３、Ｓ４０４：アドレス設定ステップ（アドレス設定処理））。そして、携帯端末Ａのアドレス取得部２０８は、移動通信ネットワーク４００からＩＰアドレスを取得する（ステップＳ２０９）（ステップＳ２０８、Ｓ２０９：アドレス取得ステップ（アドレス取得処理））。携帯端末Ａの制御部２０３は、アドレス取得部２０８により取得されたＩＰアドレスを用いて、配信サーバ３００とのＴＣＰ／ＩＰ通信を設定する。
【００９１】
携帯端末Ａのリスト取得部２０６は、ＴＣＰ／ＩＰ通信により、配信サーバ３００に「情報の未送信端末」のリストを要求する（ステップＳ２１０）。これに対し、配信サーバ３００のリスト作成部３０５は、記憶部３０１に記憶されたリストから、携帯端末２００向けの地震情報が配信されていない携帯端末Ｂ〜Ｎのリストを作成し（ステップＳ３０６）、携帯端末Ａに対し、作成したリストを提供する（ステップＳ３０７）（ステップＳ３０６、Ｓ３０７：リスト作成ステップ（リスト作成処理））。そして、携帯端末Ａのリスト取得部２０６は、ＴＣＰ／ＩＰ通信により、配信サーバ３００から、リスト作成部３０５により提供された携帯端末Ｂ〜Ｎのリストを取得する（ステップＳ２１１）（ステップＳ２１０、Ｓ２１１：リスト取得ステップ（リスト取得処理））。ここで、携帯端末Ｂ〜Ｎと表すとき、これは携帯端末２００の台数を限定するものではなく、単に携帯端末Ａ以外の１台以上の携帯端末２００を示すものである。
【００９２】
配信サーバ３００の情報提供部３０６は、携帯端末Ａに対し、記憶部３０１に記憶された携帯端末Ｂ〜Ｎ向けの地震情報を提供する（ステップＳ３０８：情報提供ステップ（情報提供処理））。携帯端末Ａの情報取得部２０７は、配信サーバ３００から、情報提供部３０６により提供された携帯端末Ｂ〜Ｎ向けの地震情報を取得する（ステップＳ２１２：情報取得ステップ（情報取得処理））。
【００９３】
図１０は、本実施の形態に係る移動通信システムの動作を示すフロー図である。
【００９４】
例えば、リスト取得部２０６により取得されたリストに含まれる携帯端末Ｂ〜Ｎのうち、携帯端末Ｂに対する処理では（ｉ＝携帯端末Ｂとなる（ステップＳ２１３）。）、携帯端末Ａの作成部２０４は、情報取得部２０７により取得された携帯端末Ｂ向けの地震情報を含むショートメッセージを作成する（ステップＳ２１４：作成ステップ（作成処理））。携帯端末Ａの送信部２０５は、移動通信ネットワーク４００を介して、携帯端末Ｂに対し、作成部２０４により作成されたショートメッセージを送信する（ステップＳ２１５：第２の送信ステップ（送信処理））。移動通信ネットワーク４００は、携帯端末Ｂに対し、送信部２０５により送信されたショートメッセージを配信する（ステップＳ４０５：配信ステップ（配信処理））。例えば、携帯端末Ｂ〜Ｎのうち、残りの携帯端末２００に対する処理は（ｉ＝次の携帯端末２００となる（ステップＳ２１７）。）、上記と同様である。携帯端末Ｂ〜Ｎのうち、全ての携帯端末２００に対する処理が完了した場合、携帯端末Ａは、携帯端末Ｂ〜Ｎに対するショートメッセージの送信結果を配信サーバ３００に通知する（ステップＳ２１７：通知ステップ（通知処理））。配信サーバ３００は、携帯端末Ａにより通知された送信結果に基づいて、携帯端末Ｂ〜Ｎのうち、どの携帯端末２００に対して地震情報が配信済かを示すように（例えば、フラグのＯＮ／ＯＦＦ）、携帯端末２００のリストを更新する（ステップＳ３０９：リスト更新ステップ（リスト更新処理））。
【００９５】
上記の各フロー図に示した各ステップ（処理）は、必ずしも図示した順に実行されなくてもよい。また、２つ以上のステップ（処理）が同時に、並行に、又は重複して実行されてもよい。
【００９６】
以上のように、本実施の形態の移動通信端末装置は、
ショートメッセージサービス（ＳＭＳ）を提供する移動通信ネットワークを介してサーバ装置が配信する情報を処理する移動通信端末装置において、
前記移動通信ネットワークを介して、自装置向けの情報を含むショートメッセージ（ＳＭ）を受信する受信部と、
前記自装置向けの情報を処理するアプリケーションプログラムを記憶する記憶部と、
前記受信部によりショートメッセージが受信された場合に、前記記憶部に記憶されたアプリケーションプログラムを起動し、前記アプリケーションプログラムを実行して前記ショートメッセージに含まれる自装置向けの情報を処理する制御部と、
前記受信部により受信されたショートメッセージに他装置向けの情報を送信する命令が含まれていた場合に、前記他装置向けの情報を含むショートメッセージを作成する作成部と、
前記移動通信ネットワークを介して、他装置に対し、前記作成部により作成されたショートメッセージを送信する送信部とを備えることを特徴とする。
【００９７】
このような特徴により、本実施の形態では、サーバ装置から複数の移動通信端末装置に対して、高速で大量の情報配信が可能となる。
【００９８】
また、前記移動通信端末装置は、
前記サーバ装置から他装置のリストを取得するリスト取得部と、
前記サーバ装置から前記他装置向けの情報を取得する情報取得部とを備え、
前記作成部は、前記情報取得部により取得された他装置向けの情報を含むショートメッセージを作成し、
前記送信部は、前記リスト取得部により取得されたリストに含まれる他装置に対し、前記作成部により作成されたショートメッセージを送信することを特徴とする。
【００９９】
このような特徴により、本実施の形態では、ショートメッセージに含まれるデータの量の抑制が可能となる。
【０１００】
また、前記移動通信端末装置は、さらに、
前記移動通信ネットワークからＩＰ（Ｉｎｔｅｒｎｅｔ  Ｐｒｏｔｏｃｏｌ）アドレスを取得するアドレス取得部を備え、
前記制御部は、前記アドレス取得部により取得されたＩＰアドレスを用いて、前記サーバ装置とのＴＣＰ（Ｔｒａｎｓｍｉｓｓｉｏｎ  Ｃｏｎｔｒｏｌ  Ｐｒｏｔｏｃｏｌ）／ＩＰ通信を設定し、
前記リスト取得部は、前記制御部により設定されたＴＣＰ／ＩＰ通信により前記他装置のリストを取得し、
前記情報取得部は、前記制御部により設定されたＴＣＰ／ＩＰ通信により前記他装置向けの情報を取得することを特徴とする。
【０１０１】
このような特徴により、本実施の形態では、移動通信端末装置が他装置のリストと他装置向けの情報とをより確実に取得することが可能となる。
【０１０２】
また、前記サーバ装置により配信される情報は、各移動通信端末装置が属する地域における災害の到来を通知する情報であり、
前記移動通信端末装置は、さらに、
前記制御部による前記自装置向けの情報の処理結果に基づいて、自装置が属する地域における災害の到来までの時間を出力する出力部を備えることを特徴とする。
【０１０３】
このような特徴により、本実施の形態では、移動通信端末装置の利用者に対して、有益な情報を提供することが可能となる。
【０１０４】
また、本実施の形態の移動通信端末プログラムは、
ショートメッセージサービス（ＳＭＳ）を提供する移動通信ネットワークを介してサーバ装置が配信する情報を処理する移動通信端末装置により実行される移動通信端末プログラムにおいて、
前記移動通信ネットワークを介して、前記移動通信端末装置向けの情報を含むショートメッセージ（ＳＭ）を受信する受信処理と、
前記移動通信端末装置向けの情報を処理するアプリケーションプログラムを前記移動通信端末装置の記憶部に記憶する記憶処理と、
前記受信処理によりショートメッセージが受信された場合に、前記記憶部に記憶されたアプリケーションプログラムを起動し、前記移動通信端末装置の制御部により前記アプリケーションプログラムを実行して前記ショートメッセージに含まれる移動通信端末装置向けの情報を処理する制御処理と、
前記受信処理により受信されたショートメッセージに他装置向けの情報を送信する命令が含まれていた場合に、前記他装置向けの情報を含むショートメッセージを作成する作成処理と、
前記移動通信ネットワークを介して、前記他装置に対し、前記作成処理により作成されたショートメッセージを送信する送信処理とをコンピュータに実行させることを特徴とする。
【０１０５】
このような特徴により、本実施の形態では、サーバ装置から複数の移動通信端末装置に対して、高速で大量の情報配信が可能となる。
【０１０６】
また、本実施の形態のサーバ装置は、
ショートメッセージサービス（ＳＭＳ）を提供する移動通信ネットワークを介して複数の移動通信端末装置に情報を配信するサーバ装置において、
前記複数の移動通信端末装置のリストと各移動通信端末装置向けの情報とを記憶する記憶部と、
前記記憶部に記憶されたリストから、移動通信端末装置向けの情報が配信されていない第１の移動通信端末装置を選択する選択部と、
前記選択部により選択された第１の移動通信端末装置向けの情報と他の移動通信端末装置に対し他の移動通信端末装置向けの情報を送信する命令とを含むメッセージを作成するメッセージ作成部と、
メッセージをショートメッセージ（ＳＭ）に変換して移動通信端末装置に配信する前記移動通信ネットワークのゲートウェイ装置に対し、前記メッセージ作成部により作成されたメッセージを送信する送信部と、
前記記憶部に記憶されたリストから、移動通信端末装置向けの情報が配信されていない第２の移動通信端末装置のリストを作成し、前記第１の移動通信端末装置に対し、作成したリストを提供するリスト作成部と、
前記第１の移動通信端末装置に対し、前記記憶部に記憶された第２の移動通信端末装置向けの情報を提供する情報提供部とを備えることを特徴とする。
【０１０７】
このような特徴により、本実施の形態では、サーバ装置から複数の移動通信端末装置に対して、高速で大量の情報配信が可能となる。
【０１０８】
また、前記記憶部は、各移動通信端末装置向けの情報として、各移動通信端末装置が属する地域における災害の到来を通知する情報を記憶することを特徴とする。
【０１０９】
このような特徴により、本実施の形態では、移動通信端末装置の利用者に対して、有益な情報を提供することが可能となる。
【０１１０】
また、本実施の形態のサーバプログラムは、
ショートメッセージサービス（ＳＭＳ）を提供する移動通信ネットワークを介して複数の移動通信端末装置に情報を配信するサーバ装置により実行されるサーバプログラムにおいて、
前記複数の移動通信端末装置のリストと各移動通信端末装置向けの情報とを前記サーバ装置の記憶部に記憶する記憶処理と、
前記記憶部に記憶されたリストから、移動通信端末装置向けの情報が配信されていない第１の移動通信端末装置を選択する選択処理と、
前記選択処理により選択された第１の移動通信端末装置向けの情報と他の移動通信端末装置に対し他の移動通信端末装置向けの情報を送信する命令とを含むメッセージを作成するメッセージ作成処理と、
メッセージをショートメッセージ（ＳＭ）に変換して前記第１の移動通信端末装置に配信する前記移動通信ネットワークのゲートウェイ装置に対し、前記メッセージ作成処理により作成されたメッセージを送信する送信処理と、
前記記憶部に記憶されたリストから、移動通信端末装置向けの情報が配信されていない第２の移動通信端末装置のリストを作成し、前記第１の移動通信端末装置に対し、作成したリストを提供するリスト作成処理と、
前記第１の移動通信端末装置に対し、前記記憶部に記憶された第２の移動通信端末装置向けの情報を提供する情報提供処理とをコンピュータに実行させることを特徴とする。
【０１１１】
このような特徴により、本実施の形態では、サーバ装置から複数の移動通信端末装置に対して、高速で大量の情報配信が可能となる。
【０１１２】
また、本実施の形態の情報配信方法は、
ショートメッセージサービス（ＳＭＳ）を提供する移動通信ネットワークと、前記移動通信ネットワークを介して情報を配信するサーバ装置と、前記サーバ装置により配信された情報を処理する複数の移動通信端末装置とを備える移動通信システムを用いて、情報を配信する情報配信方法において、
前記サーバ装置が、前記複数の移動通信端末装置のリストと各移動通信端末装置向けの情報とを自装置の記憶部に記憶する第１の記憶ステップと、
前記サーバ装置が、自装置の記憶部に記憶されたリストから、移動通信端末装置向けの情報が配信されていない第１の移動通信端末装置を選択する選択ステップと、
前記サーバ装置が、前記選択ステップにより選択された第１の移動通信端末装置向けの情報と他の移動通信端末装置に対し他の移動通信端末装置向けの情報を送信する命令とを含むメッセージを作成するメッセージ作成ステップと、
前記サーバ装置が、前記移動通信ネットワークのゲートウェイ装置に対し、前記メッセージ作成ステップにより作成されたメッセージを送信する第１の送信ステップと、
前記移動通信ネットワークのゲートウェイ装置が、前記サーバ装置から、前記第１の送信ステップにより送信されたメッセージを、ショートメッセージ（ＳＭ）に変換して前記第１の移動通信端末装置に配信する配信ステップと、
前記第１の移動通信端末装置が、前記移動通信ネットワークを介して、前記配信ステップにより配信された自装置向けの情報を含むショートメッセージを受信する受信ステップと、
前記第１の移動通信端末装置が、前記自装置向けの情報を処理するアプリケーションプログラムを自装置の記憶部に記憶する第２の記憶ステップと、
前記第１の移動通信端末装置が、前記受信ステップによりショートメッセージが受信された場合に、自装置の記憶部に記憶されたアプリケーションプログラムを起動し、自装置の制御部により前記アプリケーションプログラムを実行して前記ショートメッセージに含まれる自装置向けの情報を処理する制御ステップと、
前記第１の移動通信端末装置が、前記受信ステップにより受信されたショートメッセージに前記他の移動通信端末装置向けの情報を送信する命令が含まれていた場合に、第２の移動通信端末装置向けの情報を含むショートメッセージを作成する作成ステップと、
前記第１の移動通信端末装置が、前記移動通信ネットワークを介して、前記第２の移動通信端末装置に対し、前記作成ステップにより作成されたショートメッセージを送信する第２の送信ステップとを備えることを特徴とする。
【０１１３】
このような特徴により、本実施の形態では、サーバ装置から複数の移動通信端末装置に対して、高速で大量の情報配信が可能となる。
【０１１４】
また、前記情報配信方法は、さらに、
前記サーバ装置が、自装置の記憶部に記憶されたリストから、移動通信端末装置向けの情報が配信されていない第２の移動通信端末装置のリストを作成し、前記第１の移動通信端末装置に対し、作成したリストを提供するリスト作成ステップと、
前記第１の移動通信端末装置が、前記サーバ装置から、前記リスト作成ステップにより提供された第２の移動通信端末装置のリストを取得するリスト取得ステップと、
前記サーバ装置が、前記第１の移動通信端末装置に対し、自装置の記憶部に記憶された第２の移動通信端末装置向けの情報を提供する情報提供ステップと、
前記第１の移動通信端末装置が、前記サーバ装置から、前記情報提供ステップにより提供された第２の移動通信端末装置向けの情報を取得する情報取得ステップとを備え、
前記作成ステップは、前記第１の移動通信端末装置が、前記情報取得ステップにより取得された第２の移動通信端末装置向けの情報を含むショートメッセージを作成し、
前記第２の送信ステップは、前記第１の移動通信端末装置が、前記移動通信ネットワークを介して、前記リスト取得ステップにより取得されたリストに含まれる第２の移動通信端末装置に対し、前記作成ステップにより作成されたショートメッセージを送信することを特徴とする。
【０１１５】
このような特徴により、本実施の形態では、ショートメッセージに含まれるデータの量の抑制が可能となる。
【０１１６】
また、本実施の形態の情報配信方法は、
ショートメッセージサービス（ＳＭＳ）を提供する移動通信ネットワークと、前記移動通信ネットワークを介して情報を配信する主移動通信端末装置と、前記移動通信端末装置により配信された情報を処理する複数の移動通信端末装置とを備える移動通信システムを用いて、情報を配信する情報配信方法において、
前記主移動通信端末装置が、前記複数の移動通信端末装置のリストと各移動通信端末装置向けの情報とを自装置の記憶部に記憶する第１の記憶ステップと、
前記主移動通信端末装置が、自装置の記憶部に記憶されたリストから、移動通信端末装置向けの情報が配信されていない第１の移動通信端末装置を選択する選択ステップと、
前記主移動通信端末装置が、前記選択ステップにより選択された第１の移動通信端末装置向けの情報と他の移動通信端末装置に対し他の移動通信端末装置向けの情報を送信する命令とを含むショートメッセージ（ＳＭ）を作成するメッセージ作成ステップと、
前記主移動通信端末装置が、前記移動通信ネットワークを介して、前記第１の移動通信端末装置に対し、前記メッセージ作成ステップにより作成されたショートメッセージを送信する第１の送信ステップと、
前記第１の移動通信端末装置が、前記移動通信ネットワークを介して、前記配信ステップにより配信された自装置向けの情報を含むショートメッセージを受信する受信ステップと、
前記第１の移動通信端末装置が、前記自装置向けの情報を処理するアプリケーションプログラムを自装置の記憶部に記憶する第２の記憶ステップと、
前記第１の移動通信端末装置が、前記受信ステップによりショートメッセージが受信された場合に、自装置の記憶部に記憶されたアプリケーションプログラムを起動し、自装置の制御部により前記アプリケーションプログラムを実行して前記ショートメッセージに含まれる自装置向けの情報を処理する制御ステップと、
前記第１の移動通信端末装置が、前記受信ステップにより受信されたショートメッセージに前記他の移動通信端末装置向けの情報を送信する命令が含まれていた場合に、第２の移動通信端末装置向けの情報を含むショートメッセージを作成する作成ステップと、
前記第１の移動通信端末装置が、前記移動通信ネットワークを介して、前記第２の移動通信端末装置に対し、前記作成ステップにより作成されたショートメッセージを送信する第２の送信ステップとを備えることを特徴とする。
【０１１７】
このような特徴により、本実施の形態では、ショートメッセージ以外のメッセージをショートメッセージに変換するゲートウェイ装置を介さずに情報配信を行うことが可能となる。
【０１１８】
実施の形態２．
本実施の形態に係る移動通信システムの構成は、実施の形態１で説明した図１に示すものと同様である。
【０１１９】
実施の形態１では、携帯端末２００が作成するショートメッセージに含まれる他端末向けの情報と、携帯端末２００がそのショートメッセージを送信する他端末のリストは、携帯端末２００が自ら配信サーバ３００にアクセスして取得していたが、これらを、携帯端末２００が配信サーバ３００から受信するショートメッセージに最初から含めてもよい。
【０１２０】
本実施の形態では、実施の形態１における携帯端末２００のリスト取得部２０６、情報取得部２０７、アドレス取得部２０８は不要となる。また、実施の形態１における配信サーバ３００のリスト作成部３０５、情報提供部３０６は不要となる。
【０１２１】
以上のように、本実施の形態の移動通信端末装置は、
ショートメッセージサービス（ＳＭＳ）を提供する移動通信ネットワークを介してサーバ装置が配信する情報を処理する移動通信端末装置において、
前記移動通信ネットワークを介して、自装置向けの情報を含むショートメッセージ（ＳＭ）を受信する受信部と、
前記自装置向けの情報を処理するアプリケーションプログラムを記憶する記憶部と、
前記受信部によりショートメッセージが受信された場合に、前記記憶部に記憶されたアプリケーションプログラムを起動し、前記アプリケーションプログラムを実行して前記ショートメッセージに含まれる自装置向けの情報を処理する制御部と、
前記受信部により受信されたショートメッセージに他装置向けの情報を送信する命令が含まれていた場合に、前記他装置向けの情報を含むショートメッセージを作成する作成部と、
前記移動通信ネットワークを介して、他装置に対し、前記作成部により作成されたショートメッセージを送信する送信部とを備え、
前記受信部により受信されるショートメッセージは、さらに、他装置のリストと前記他装置向けの情報を含み、
前記作成部は、前記受信部により受信されたショートメッセージに含まれる他装置向けの情報を含むショートメッセージを作成し、
前記送信部は、前記受信部により受信されたショートメッセージに含まれるリストに含まれる他装置に対し、前記作成部により作成されたショートメッセージを送信することを特徴とする。
【０１２２】
このような特徴により、本実施の形態では、処理の単純化が可能となる。
【０１２３】
実施の形態３．
本実施の形態に係る移動通信システムの構成は、実施の形態１で説明した図１に示すものと同様である。
【０１２４】
実施の形態１では、配信サーバ３００から複数の携帯端末２００に対する大量即時情報配信を実現していた。これに対し、本実施の形態では、大規模な演算処理を小さなタスクに分割し、連鎖情報配信メッセージ（携帯端末２００向けの情報）にタスクを乗せることで、携帯端末２００上のアプリケーションとしてタスクを実行し、結果を配信サーバ３００で集約することにより大規模分散処理を実現する。
【０１２５】
本実施の形態では、実施の形態１と同様に、複数の携帯端末２００が階層化して管理され、「一次情報配信携帯端末」が分散処理要求（配信サーバ３００が携帯端末２００に「情報の未送信端末」のリスト内にある端末にタスクを送信することを要求する。）を受信し、自端末アプリケーションを起動し、未処理タスクを下位端末に分配することにより分散処理を実現する。これにより、企業などでは大規模計算機システムなしに、社員の携帯電話などを用いて大容量計算処理が可能となる。
【０１２６】
図１１は、本実施の形態に係る移動通信端末装置の構成を示すブロック図である。
【０１２７】
本実施の形態において、携帯端末２００は、受信部２０１、記憶部２０２、制御部２０３、作成部２０４、送信部２０５、リスト取得部２０６、情報取得部２０７、アドレス取得部２０８、出力部２０９、入力部２１０、報告部２１１を備える。
【０１２８】
受信部２０１、記憶部２０２、制御部２０３、作成部２０４、送信部２０５、リスト取得部２０６、情報取得部２０７、アドレス取得部２０８、出力部２０９、入力部２１０に関し、実施の形態１と同様の機能については、説明を省略する。
【０１２９】
制御部２０３は、配信サーバ３００により配信される情報として、一つの演算処理から分割されたタスクを取得し、そのタスクを実行する。
【０１３０】
報告部２１１は、配信サーバ３００に対し、制御部２０３によるタスクの実行結果を報告する。例えば、報告部２１１は、制御部２０３がタスクを実行して計算した数値データを配信サーバ３００にＴＣＰ／ＩＰ通信により送信する。
【０１３１】
図１２は、本実施の形態に係るサーバ装置の構成を示すブロック図である。
【０１３２】
本実施の形態において、配信サーバ３００は、記憶部３０１、選択部３０２、メッセージ作成部３０３、送信部３０４、リスト作成部３０５、情報提供部３０６、出力部３０７、入力部３０８、集約部３０９を備える。
【０１３３】
記憶部３０１、選択部３０２、メッセージ作成部３０３、送信部３０４、リスト作成部３０５、情報提供部３０６、出力部３０７、入力部３０８に関し、実施の形態１と同様の機能については、説明を省略する。
【０１３４】
記憶部３０１は、各携帯端末２００向けの情報として、一つの演算処理を分割したタスクを記憶する。
【０１３５】
集約部３０９は、各携帯端末２００から各タスクの実行結果を収集し、収集した実行結果を集約して上記演算処理の処理結果を出力する。例えば、集約部３０９は、各携帯端末２００がタスクを実行して計算した数値データを収集し、全ての数値データの合計値を計算する。
【０１３６】
以下、本実施の形態と実施の形態１とにおける移動通信システム１００の動作の主な差異について説明する。
【０１３７】
図１３は、本実施の形態に係る移動通信端末装置の動作を示すフロー図である。図１３は、本実施の形態において、実施の形態１で説明した図８に示す動作に替わる動作を示すものである。
【０１３８】
携帯端末Ａの制御部２０３は、受信部２０１によりショートメッセージが受信された場合に、記憶部２０２に記憶されたアプリケーションプログラムを起動し（ステップＳ２０４）、そのアプリケーションプログラムを実行してショートメッセージに含まれる自端末が実行すべきタスクを取得し（ステップＳ２０５）、そのタスクを実行する（ステップＳ２０６）（ステップＳ２０４〜Ｓ２０６：制御ステップ（制御処理））。
【０１３９】
図１４は、本実施の形態に係る移動通信システムの動作を示すフロー図である。図１４は、本実施の形態において、実施の形態１で説明した図１０に示す動作の次の動作を示すものである。
【０１４０】
例えば、携帯端末Ａの報告部２１１は、配信サーバ３００に対し、制御部２０３によるタスクの実行結果を報告する（ステップＳ２１８：報告ステップ（報告処理））。同様に、例えば、携帯端末Ｂ〜Ｎの報告部２１１も、配信サーバ３００に対し、制御部２０３によるタスクの実行結果を報告する。
【０１４１】
配信サーバ３００の集約部３０９は、携帯端末Ａからタスクの実行結果を取得し（ステップＳ３１０）、同様に、携帯端末Ｂ〜Ｎを含む他の携帯端末２００からもそれぞれのタスクの実行結果を収集する（ステップＳ３１１）。配信サーバ３００の集約部３０９は、収集した実行結果を集約し（ステップＳ３１２）、分割元の演算処理の処理結果を出力する（ステップＳ３１３）（ステップＳ３１０〜Ｓ３１３：集約ステップ（集約処理））。
【０１４２】
以上のように、本実施の形態の移動通信端末装置は、
ショートメッセージサービス（ＳＭＳ）を提供する移動通信ネットワークを介してサーバ装置が配信する情報を処理する移動通信端末装置において、
前記移動通信ネットワークを介して、自装置向けの情報を含むショートメッセージ（ＳＭ）を受信する受信部と、
前記自装置向けの情報を処理するアプリケーションプログラムを記憶する記憶部と、
前記受信部によりショートメッセージが受信された場合に、前記記憶部に記憶されたアプリケーションプログラムを起動し、前記アプリケーションプログラムを実行して前記ショートメッセージに含まれる自装置向けの情報を処理する制御部と、
前記受信部により受信されたショートメッセージに他装置向けの情報を送信する命令が含まれていた場合に、前記他装置向けの情報を含むショートメッセージを作成する作成部と、
前記移動通信ネットワークを介して、他装置に対し、前記作成部により作成されたショートメッセージを送信する送信部とを備え、
前記サーバ装置により配信される情報は、一つの演算処理から分割されたタスクであり、
前記制御部は、前記タスクを実行し、
前記移動通信端末装置は、さらに、
前記サーバ装置に対し、前記制御部による前記タスクの実行結果を報告する報告部を備えることを特徴とする。
【０１４３】
また、本実施の形態のサーバ装置は、
ショートメッセージサービス（ＳＭＳ）を提供する移動通信ネットワークを介して複数の移動通信端末装置に情報を配信するサーバ装置において、
前記複数の移動通信端末装置のリストと各移動通信端末装置向けの情報とを記憶する記憶部と、
前記記憶部に記憶されたリストから、移動通信端末装置向けの情報が配信されていない第１の移動通信端末装置を選択する選択部と、
前記選択部により選択された第１の移動通信端末装置向けの情報と他の移動通信端末装置に対し他の移動通信端末装置向けの情報を送信する命令とを含むメッセージを作成するメッセージ作成部と、
メッセージをショートメッセージ（ＳＭ）に変換して移動通信端末装置に配信する前記移動通信ネットワークのゲートウェイ装置に対し、前記メッセージ作成部により作成されたメッセージを送信する送信部と、
前記記憶部に記憶されたリストから、移動通信端末装置向けの情報が配信されていない第２の移動通信端末装置のリストを作成し、前記第１の移動通信端末装置に対し、作成したリストを提供するリスト作成部と、
前記第１の移動通信端末装置に対し、前記記憶部に記憶された第２の移動通信端末装置向けの情報を提供する情報提供部とを備え、
前記記憶部は、各移動通信端末装置向けの情報として、一つの演算処理を分割したタスクを記憶し、
前記サーバ装置は、さらに、
各移動通信端末装置から各タスクの実行結果を収集し、収集した実行結果を集約して前記演算処理の処理結果を出力する集約部を備えることを特徴とする。
【０１４４】
このような特徴により、本実施の形態では、大規模計算機システムを用いなくても、移動通信端末装置を用いるだけで、大容量の計算処理が可能となる。
【０１４５】
実施の形態４．
本実施の形態に係る移動通信システムの構成は、実施の形態１で説明した図１に示すものと同様である。
【０１４６】
実施の形態１では、携帯端末２００が属する地域とは、携帯端末２００の利用者などが予め配信サーバ３００に登録した地区のことであったが、これを、配信サーバ３００が携帯端末２００の位置を検出し、その結果に基づいて特定した地区としてもよい。
【０１４７】
図１５は、本実施の形態に係るサーバ装置の構成を示すブロック図である。
【０１４８】
本実施の形態において、配信サーバ３００は、記憶部３０１、選択部３０２、メッセージ作成部３０３、送信部３０４、リスト作成部３０５、情報提供部３０６、出力部３０７、入力部３０８、位置検出部３１０を備える。
【０１４９】
記憶部３０１、選択部３０２、メッセージ作成部３０３、送信部３０４、リスト作成部３０５、情報提供部３０６、出力部３０７、入力部３０８に関し、実施の形態１と同様の機能については、説明を省略する。
【０１５０】
位置検出部３１０は、各携帯端末２００の位置を検出する。位置検出部３１０は、携帯端末２００の位置を検出するために、例えば、ＧＰＳ（全地球測位システム）を利用して携帯端末２００の位置情報を取得する。また、例えば、移動通信ネットワーク４００の基地局６００や無線ネットワーク制御装置などから、携帯端末２００が在圏するセルの情報を取得する。また、例えば、移動通信ネットワーク４００のＨＬＲ（ホームロケーションレジスタ）やＶＬＲ（ビジタロケーションレジスタ）などから、携帯端末２００の位置登録情報を取得する。位置検出部３１０は、取得した情報と、例えば、変換テーブルや地図情報などとを組み合わせて、各携帯端末２００の地区を判定する。
【０１５１】
記憶部３０１は、各携帯端末２００向けの情報として、位置検出部３１０により検出された位置を含む地区の地震情報を記憶する。
【０１５２】
以上のように、本実施の形態のサーバ装置は、
ショートメッセージサービス（ＳＭＳ）を提供する移動通信ネットワークを介して複数の移動通信端末装置に情報を配信するサーバ装置において、
前記複数の移動通信端末装置のリストと各移動通信端末装置向けの情報とを記憶する記憶部と、
前記記憶部に記憶されたリストから、移動通信端末装置向けの情報が配信されていない第１の移動通信端末装置を選択する選択部と、
前記選択部により選択された第１の移動通信端末装置向けの情報と他の移動通信端末装置に対し他の移動通信端末装置向けの情報を送信する命令とを含むメッセージを作成するメッセージ作成部と、
メッセージをショートメッセージ（ＳＭ）に変換して移動通信端末装置に配信する前記移動通信ネットワークのゲートウェイ装置に対し、前記メッセージ作成部により作成されたメッセージを送信する送信部と、
前記記憶部に記憶されたリストから、移動通信端末装置向けの情報が配信されていない第２の移動通信端末装置のリストを作成し、前記第１の移動通信端末装置に対し、作成したリストを提供するリスト作成部と、
前記第１の移動通信端末装置に対し、前記記憶部に記憶された第２の移動通信端末装置向けの情報を提供する情報提供部とを備え、
前記記憶部は、各移動通信端末装置向けの情報として、各移動通信端末装置が属する地域における災害の到来を通知する情報を記憶し、
前記サーバ装置は、さらに、
各移動通信端末装置の位置を検出する位置検出部を備え、
前記記憶部は、各移動通信端末装置向けの情報として、前記位置検出部により検出された位置を含む地域における災害の到来を通知する情報を記憶することを特徴とする。
【０１５３】
このような特徴により、本実施の形態では、移動通信端末装置の利用者がいる地域に合わせて、適切な情報を提供することが可能となる。
【０１５４】
実施の形態５．
本実施の形態に係る移動通信システム、移動通信端末装置、及びサーバ装置の構成は、実施の形態１で説明した図１、２、及び３に示すものと同様である。
【０１５５】
本実施の形態では、実施の形態１で説明した図５に示した移動通信端末装置のリストがソートされている。
【０１５６】
図１６は、本実施の形態における移動通信端末装置のリストの一例を示す図である。
【０１５７】
図１６の例では、配信サーバ３００の記憶部３０１は、地震情報を地震が来るまでの秒数でソートして記憶している。配信サーバ３００の選択部３０２は、「一次情報配信携帯端末」として、地震が来るまでの秒数が短いものを優先して選択する。また、配信サーバ３００のリスト作成部３０５は、「情報の未送信端末」として、地震が来るまでの秒数が短いものを優先して選択する。
【０１５８】
図１７は、本実施の形態における移動通信端末装置のリストの一例を示す図である。
【０１５９】
図１７の例では、配信サーバ３００の記憶部３０１は、震度でソートして記憶している。配信サーバ３００の選択部３０２は、「一次情報配信携帯端末」として、震度が大きいものを優先して選択する。また、配信サーバ３００のリスト作成部３０５は、「情報の未送信端末」として、震度が大きいものを優先して選択する。
【０１６０】
以上のように、本実施の形態のサーバ装置は、
ショートメッセージサービス（ＳＭＳ）を提供する移動通信ネットワークを介して複数の移動通信端末装置に情報を配信するサーバ装置において、
前記複数の移動通信端末装置のリストと各移動通信端末装置向けの情報とを記憶する記憶部と、
前記記憶部に記憶されたリストから、移動通信端末装置向けの情報が配信されていない第１の移動通信端末装置を選択する選択部と、
前記選択部により選択された第１の移動通信端末装置向けの情報と他の移動通信端末装置に対し他の移動通信端末装置向けの情報を送信する命令とを含むメッセージを作成するメッセージ作成部と、
メッセージをショートメッセージ（ＳＭ）に変換して移動通信端末装置に配信する前記移動通信ネットワークのゲートウェイ装置に対し、前記メッセージ作成部により作成されたメッセージを送信する送信部と、
前記記憶部に記憶されたリストから、移動通信端末装置向けの情報が配信されていない第２の移動通信端末装置のリストを作成し、前記第１の移動通信端末装置に対し、作成したリストを提供するリスト作成部と、
前記第１の移動通信端末装置に対し、前記記憶部に記憶された第２の移動通信端末装置向けの情報を提供する情報提供部とを備え、
前記記憶部は、各移動通信端末装置向けの情報として、各移動通信端末装置が属する地域における災害の到来を通知する情報を記憶し、
前記記憶部に記憶される災害の到来を通知する情報は、各地域における災害の到来までの時間と災害の大きさとを含み、
前記記憶部は、前記災害の到来を通知する情報をソートして記憶し、
前記選択部は、前記第１の移動通信端末装置として、前記災害の到来までの時間が短いものと前記災害の大きさが大きいものとのいずれかを優先して選択することを特徴とする。
【０１６１】
また、前記記憶部に記憶される災害の到来を通知する情報は、各地域における災害の到来までの時間と災害の大きさとを含み、
前記記憶部は、前記災害の到来を通知する情報をソートして記憶し、
前記リスト作成部は、前記第２の移動通信端末装置として、前記災害の到来までの時間が短いものと前記災害の大きさが大きいものとのいずれかを優先して含めたリストを作成することを特徴とする。
【０１６２】
このような特徴により、本実施の形態では、危険度の高い地域にいる移動通信端末装置の利用者に対して、迅速な情報提供が可能となる。
【０１６３】
図１８は、上記実施の形態におけるサーバ装置の外観の一例を示す図である。
【０１６４】
図１８において、配信サーバ３００は、システムユニット９１０、ＣＲＴ（Ｃａｔｈｏｄｅ  Ｒａｙ  Ｔｕｂｅ）表示装置９０１、キーボード（Ｋ／Ｂ）９０２、マウス９０３、コンパクトディスク装置（ＣＤＤ）９０５、プリンタ装置９０６を備え、これらはケーブルで接続されている。さらに、配信サーバ３００は、ローカルエリアネットワーク（ＬＡＮ）９４２、ゲートウェイ９４１（上記のＳＭＳゲートウェイ５００とは異なる。）を介してインターネット９４０に接続されている。
【０１６５】
図１９は、上記実施の形態におけるサーバ装置のハードウェア構成の一例を示す図である。
【０１６６】
図１９において、配信サーバ３００は、プログラムを実行するＣＰＵ（Ｃｅｎｔｒａｌ  Ｐｒｏｃｅｓｓｉｎｇ  Ｕｎｉｔ）９１１を備えている。ＣＰＵ９１１は、バス９１２を介してＲＯＭ９１３、ＲＡＭ９１４、通信ボード９１５、ＣＲＴ表示装置９０１、Ｋ／Ｂ９０２、マウス９０３、ＦＤＤ（Ｆｌｅｘｉｂｌｅ  Ｄｉｓｋ  Ｄｒｉｖｅ）９０４、磁気ディスク装置９２０、ＣＤＤ９０５、プリンタ装置９０６と接続されている。
【０１６７】
ＲＡＭ９１４は、揮発性メモリの一例である。ＲＯＭ９１３、ＦＤＤ９０４、ＣＤＤ９０５、磁気ディスク装置９２０は、不揮発性メモリの一例である。これらは、記憶装置あるいは記憶部の一例である。
【０１６８】
通信ボード９１５は、ＬＡＮ９４２などに接続されている。通信ボード９１５は、送信部、入力部、出力部の一例である。
【０１６９】
例えば、Ｋ／Ｂ９０２、ＦＤＤ９０４などは、入力部の一例である。また、例えば、ＣＲＴ表示装置９０１などは、出力部の一例である。
【０１７０】
ここで、通信ボード９１５は、ＬＡＮ９４２に限らず、直接、インターネット９４０、あるいはＩＳＤＮ（Ｉｎｔｅｇｒａｔｅｄ  Ｓｅｒｖｉｃｅｓ  Ｄｉｇｉｔａｌ  Ｎｅｔｗｏｒｋ）などのＷＡＮ（ワイドエリアネットワーク）に接続されていても構わない。直接、インターネット９４０、あるいはＩＳＤＮなどのＷＡＮに接続されている場合、配信サーバ３００は、インターネット９４０、あるいはＩＳＤＮなどのＷＡＮに接続され、ゲートウェイ９４１は不要となる。
【０１７１】
磁気ディスク装置９２０には、オペレーティングシステム（ＯＳ）９２１、ウィンドウシステム９２２、プログラム群９２３、ファイル群９２４が記憶されている。プログラム群９２３は、ＣＰＵ９１１、ＯＳ９２１、ウィンドウシステム９２２により実行される。
【０１７２】
上記プログラム群９２３には、上述した実施の形態の説明において「〜部」として説明する機能を実行するプログラムが記憶されている。プログラムは、ＣＰＵ９１１により読み出され実行される。
【０１７３】
例えば、ＣＰＵ９１１などは、制御部の一例である。
【０１７４】
ファイル群９２４には、上述した実施の形態の説明において、「〜結果」として説明するものが、「〜ファイル」として記憶されている。
【０１７５】
また、上述した実施の形態の説明において説明するフローチャートの矢印の部分は主としてデータの入出力を示し、そのデータの入出力のためにデータは、磁気ディスク装置９２０、ＦＤ（Ｆｌｅｘｉｂｌｅ  Ｄｉｓｋ）、光ディスク、ＣＤ（コンパクトディスク）、ＭＤ（ミニディスク）、ＤＶＤ（Ｄｉｇｉｔａｌ  Ｖｅｒｓａｔｉｌｅ  Ｄｉｓｋ）などのその他の記録媒体に記録される。あるいは、信号線やその他の伝送媒体により伝送される。
【０１７６】
また、上述した実施の形態の説明において「〜部」として説明するものは、ＲＯＭ９１３に記憶されたファームウェアで実現されていても構わない。あるいは、ソフトウェアのみ、あるいは、ハードウェアのみ、あるいは、ソフトウェアとハードウェアとの組み合わせ、さらには、ファームウェアとの組み合わせで実施されても構わない。
【０１７７】
また、上述した実施の形態を実施するプログラムは、磁気ディスク装置９２０、ＦＤ、光ディスク、ＣＤ、ＭＤ、ＤＶＤなどのその他の記録媒体による記録装置を用いて記憶されても構わない。
【０１７８】
上記実施の形態における移動通信端末装置のハードウェア構成は、図１９に示したものと同様であってもよい。この場合、例えば、図１９に示したＲＡＭ９１４、ＲＯＭ９１３、ＦＤＤ９０４、ＣＤＤ９０５、磁気ディスク装置９２０は、記憶装置あるいは記憶部の一例である。また、通信ボード９１５は、受信部、送信部、入力部、出力部の一例である。そして、プログラム群９２３には、上述した実施の形態の説明において「〜部」として説明する機能を実行するプログラムが記憶されている。プログラムは、ＣＰＵ９１１により読み出され実行される。例えば、ＣＰＵ９１１などは、制御部の一例である。
【図面の簡単な説明】
【０１７９】
【図１】実施の形態１に係る移動通信システムの構成を示す図である。
【図２】実施の形態１に係る移動通信端末装置の構成を示すブロック図である。
【図３】実施の形態１に係るサーバ装置の構成を示すブロック図である。
【図４】実施の形態１に係るサーバ装置の動作を示すフロー図である。
【図５】実施の形態１における移動通信端末装置のリストの一例を示す図である。
【図６】実施の形態１に係る移動通信端末装置の動作を示すフロー図である。
【図７】実施の形態１に係る移動通信システムの動作を示すフロー図である。
【図８】実施の形態１に係る移動通信端末装置の動作を示すフロー図である。
【図９】実施の形態１に係る移動通信システムの動作を示すフロー図である。
【図１０】実施の形態１に係る移動通信システムの動作を示すフロー図である。
【図１１】実施の形態３に係る移動通信端末装置の構成を示すブロック図である。
【図１２】実施の形態３に係るサーバ装置の構成を示すブロック図である。
【図１３】実施の形態３に係る移動通信端末装置の動作を示すフロー図である。
【図１４】実施の形態３に係る移動通信システムの動作を示すフロー図である。
【図１５】実施の形態４に係るサーバ装置の構成を示すブロック図である。
【図１６】実施の形態５における移動通信端末装置のリストの一例を示す図である。
【図１７】実施の形態５における移動通信端末装置のリストの一例を示す図である。
【図１８】各実施の形態におけるサーバ装置の外観の一例を示す図である。
【図１９】各実施の形態におけるサーバ装置のハードウェア構成の一例を示す図である。
【符号の説明】
【０１８０】
１００  移動通信システム、１０１  ＳＭＳ、１０２  ＴＣＰ／ＩＰ、２００  携帯端末、２０１  受信部、２０２  記憶部、２０３  制御部、２０４  作成部、２０５  送信部、２０６  リスト取得部、２０７  情報取得部、２０８  アドレス取得部、２０９  出力部、２１０  入力部、２１１  報告部、３００  配信サーバ、３０１  記憶部、３０２  選択部、３０３  メッセージ作成部、３０４  送信部、３０５  リスト作成部、３０６  情報提供部、３０７  出力部、３０８  入力部、３０９  集約部、３１０  位置検出部、４００  移動通信ネットワーク、５００  ＳＭＳゲートウェイ、６００  基地局、９０１  ＣＲＴ表示装置、９０２  Ｋ／Ｂ、９０３  マウス、９０４  ＦＤＤ、９０５  ＣＤＤ、９０６  プリンタ装置、９１０  システムユニット、９１１  ＣＰＵ、９１２  バス、９１３  ＲＯＭ、９１４  ＲＡＭ、９１５  通信ボード、９２０  磁気ディスク装置、９２１  ＯＳ、９２２  ウィンドウシステム、９２３  プログラム群、９２４  ファイル群、９４０  インターネット、９４１  ゲートウェイ、９４２  ＬＡＮ。
【図１】
0004616114.tif 000002
【図２】
0004616114.tif 000003
【図３】
0004616114.tif 000004
【図４】
0004616114.tif 000005
【図５】
0004616114.tif 000006
【図６】
0004616114.tif 000007
【図７】
0004616114.tif 000008
【図８】
0004616114.tif 000009
【図９】
0004616114.tif 000010
【図１０】
0004616114.tif 000011
【図１１】
0004616114.tif 000012
【図１２】
0004616114.tif 000013
【図１３】
0004616114.tif 000014
【図１４】
0004616114.tif 000015
【図１５】
0004616114.tif 000016
【図１６】
0004616114.tif 000017
【図１７】
0004616114.tif 000018
【図１８】
0004616114.tif 000019
【図１９】
0004616114.tif 000020